【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  式：
【化１】
2002525351.tif 000001
〔式中、
ｎは、１〜４から選択される整数であり；
Ｘは、オキシであり；
Ｒ1 は、ハロアルキル、ハロアルケニル、ハロアルコキシメチル、及びハロアルケニルオキシメチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化２】
2002525351.tif 000002
であり；
Ｒ16は、ヒドリド；アルキル；アシル；アロイル；ヘテロアロイル；トリアルキルシリル；及び共有単結合と、Ｒ4 、Ｒ8 、Ｒ9 及びＲ13からなる群から選択されるいずれかの芳香族置換基の結合点に連結して５〜１０の連続メンバーを有するヘテロシクリル環を形成する１〜４原子の鎖長を有する線状スペーサー部分とからなる群から選択されるスペーサー；からなる群から選択され；
Ｄ1 、Ｄ2 、Ｊ1 、Ｊ2 及びＫ1 は、Ｃ、Ｎ、Ｏ、Ｓ及び共有結合からなる群から独立に選択され、但し、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つ以下がＯ及びＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｒ2 は、ヒドリド、アリール、アラルキル、アルキル、アルケニル、アルケニルオキシアルキル、ハロアルキル、ハロアルケニル、ハロシクロアルキル、ハロアルコキシ、ハロアルコキシアルキル、ハロアルケニルオキシアルキル、ハロシクロアルコキシ、ハロシクロアルコキシアルキル、ペルハロアリール、ペルハロアラルキル、ペルハロアリールオキシアルキル、ヘテロアリール、ジシアノアルキル、及びカルボアルコキシシアノアルキルからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 は、ヒドリド、ヒドロキシ、シアノ、アリール、アラルキル、アシル、アルコキシ、アルキル、アルケニル、アルコキシアルキル、ヘテロアリール、アルケニルオキシアルキル、ハロアルキル、ハロアルケニル、ハロアルコキシ、ハロアルコキシアルキル、ハロアルケニルオキシアルキル、モノシアノアルキル、ジシアノアルキル、カルボキサミド、及びカルボキサミドアルキルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙは、共有単結合、（Ｃ（Ｒ14)2) q （式中、ｑは１及び２から選択される整数である）、及び（ＣＨ（Ｒ14))g −Ｗ−（ＣＨ（Ｒ14))p （式中、ｇ及びｐは０及び１から独立に選択される整数である）からなる群から選択され；
Ｒ14は、ヒドリド、ヒドロキシ、シアノ、ヒドロキシアルキル、アシル、アルコキシ、アルキル、アルケニル、アルキニル、アルコキシアルキル、ハロアルキル、ハロアルケニル、ハロアルコキシ、ハロアルコキシアルキル、ハロアルケニルオキシアルキル、モノカルボアルコキシアルキル、モノシアノアルキル、ジシアノアルキル、カルボアルコキシシアノアルキル、カルボアルコキシ、カルボキサミド、及びカルボキサミドアルキルからなる群から選択され；
Ｚは、共有単結合、（Ｃ（Ｒ15)2) q （式中、ｑは１及び２から選択される整数である）、及び（ＣＨ（Ｒ15))j −Ｗ−（ＣＨ（Ｒ15)) k（式中、ｊ及びｋは０及び１から独立に選択される整数である）からなる群から選択され；
Ｗは、Ｏ、Ｃ（Ｏ）、Ｃ（Ｓ）、Ｃ（Ｏ）Ｎ（Ｒ14）、Ｃ（Ｓ）Ｎ（Ｒ14）、（Ｒ14）ＮＣ（Ｏ）、（Ｒ14）ＮＣ（Ｓ）、Ｓ、Ｓ（Ｏ）、Ｓ（Ｏ)2、Ｓ（Ｏ)2Ｎ（Ｒ14）、（Ｒ14）ＮＣ（Ｏ)2、及びＮ（Ｒ14）からなる群から選択され、但し、Ｒ14はシアノとは別のものであり；
Ｒ15は、ヒドリド、シアノ、ヒドロキシアルキル、アシル、アルコキシ、アルキル、アルケニル、アルキニル、アルコキシアルキル、ハロアルキル、ハロアルケニル、ハロアルコキシ、ハロアルコキシアルキル、ハロアルケニルオキシアルキル、モノカルボアルコキシアルキル、モノシアノアルキル、ジシアノアルキル、カルボアルコキシシアノアルキル、カルボアルコキシ、カルボキサミド、及びカルボキサミドアルキルからなる群から選択され；
Ｒ4 、Ｒ5 、Ｒ6 、Ｒ7 、Ｒ8 、Ｒ9 、Ｒ10、Ｒ11、Ｒ12、及びＲ13は、ヒドリド、カルボキシ、ヘテロアラルキルチオ、ヘテロアラルコキシ、シクロアルキルアミノ、アシルアルキル、アシルアルコキシ、アロイルアルコキシ、ヘテロシクリルオキシ、アラルキルアリール、アラルキル、アラルケニル、アラルキニル、ヘテロシクリル、ペルハロアラルキル、アラルキルスルホニル、アラルキルスルホニルアルキル、アラルキルスルフィニル、アラルキルスルフィニルアルキル、ハロシクロアルキル、ハロシクロアルケニル、シクロアルキルスルフィニル、シクロアルキルスルフィニルアルキル、シクロアルキルスルホニル、シクロアルキルスルホニルアルキル、ヘテロアリールアミノ、Ｎ−ヘテロアリールアミノ−Ｎ−アルキルアミノ、ヘテロアリールアミノアルキル、ハロアルキルチオ、アルカノイルオキシ、アルコキシ、アルコキシアルキル、ハロアルコキシアルキル、ヘテロアラルコキシ、シクロアルコキシ、シクロアルケニルオキシ、シクロアルコキシアルキル、シクロアルキルアルコキシ、シクロアルケニルオキシアルキル、シクロアルキレンジオキシ、ハロシクロアルコキシ、ハロシクロアルコキシアルキル、ハロシクロアルケニルオキシ、ハロシクロアルケニルオキシアルキル、ヒドロキシ、アミノ、チオ、ニトロ、低級アルキルアミノ、アルキルチオ、アルキルチオアルキル、アリールアミノ、アラルキルアミノ、アリールチオ、アリールチオアルキル、ヘテロアラルコキシアルキル、アルキルスルフィニル、アルキルスルフィニルアルキル、アリールスルフィニルアルキル、アリールスルホニルアルキル、ヘテロアリールスルフィニルアルキル、ヘテロアリールスルホニルアルキル、アルキルスルホニル、アルキルスルホニルアルキル、ハロアルキルスルフィニルアルキル、ハロアルキルスルホニルアルキル、アルキルスルホンアミド、アルキルアミノスルホニル、アミドスルホニル、モノアルキルアミドスルホニル、ジアルキルアミドスルホニル、モノアリールアミドスルホニル、アリールスルホンアミド、ジアリールアミドスルホニル、モノアルキルモノアリールアミドスルホニル、アリールスルフィニル、アリールスルホニル、ヘテロアリールチオ、ヘテロアリールスルフィニル、ヘテロアリールスルホニル、ヘテロシクリルスルホニル、ヘテロシクリルチオ、アルカノイル、アルケノイル、アロイル、ヘテロアロイル、アラルカノイル、ヘテロアラルカノイル、ハロアルカノイル、アルキル、アルケニル、アルキニル、アルケニルオキシ、アルケニルオキシアルキル、アルキレンジオキシ、ハロアルキレンジオキシ、シクロアルキル、シクロアルキルアルカノイル、シクロアルケニル、低級シクロアルキルアルキル、低級シクロアルケニルアルキル、ハロ、ハロアルキル、ハロアルケニル、ハロアルコキシ、ヒドロキシハロアルキル、ヒドロキシアラルキル、ヒドロキシアルキル、ヒドロキシヘテロアラルキル、ハロアルコキシアルキル、アリール、ヘテロアラルキニル、アリールオキシ、アラルコキシ、アリールオキシアルキル、飽和ヘテロシクリル、部分飽和ヘテロシクリル、ヘテロアリール、ヘテロアリールオキシ、ヘテロアリールオキシアルキル、ヘテロアラルキル、アリールアルケニル、ヘテロア���ールアルケニル、カルボキシアルキル、カルボアルコキシ、アルコキシカルボキサミド、アルキルアミドカルボニルアミド、アリールアミドカルボニルアミド、カルボアルコキシアルキル、カルボアルコキシアルケニル、カルボアラルコキシ、カルボキサミド、カルボキサミドアルキル、シアノ、カルボハロアルコキシ、ホスホノ、ホスホノアルキル、ジアラルコキシホスホノ、及びジアラルコキシホスホノアルキルからなる群から独立に選択され、但し、Ｒ4 、Ｒ5 、Ｒ6 、Ｒ7 、Ｒ8 、Ｒ9 、Ｒ10、Ｒ11、Ｒ12、及びＲ13は、それぞれ独立に、炭素の４価性、窒素の３価性、硫黄の２価性、及び酸素の２価性を維持するのように選択され；
Ｒ4 とＲ5 、Ｒ5 とＲ6 、Ｒ6 とＲ7 、Ｒ7 とＲ8 、Ｒ9 とＲ10、Ｒ10とＲ11、Ｒ11とＲ12、及びＲ12とＲ13は、スペーサー対を形成するように独立に選択され、その際、スペーサー対は、一緒になって、前記スペーサー対メンバーの結合点を繋ぐ３〜６の連続原子を有する線状部分を形成して、５〜８の連続メンバーを有するシクロアルケニル環、５〜８の連続メンバーを有する部分飽和ヘテロシクリル環、５〜６の連続メンバーを有するヘテロアリール環、及びアリールからなる群から選択される環を形成し、但し、スペーサー対であるＲ4 とＲ5 、Ｒ5 とＲ6 、Ｒ6 とＲ7 、及びＲ7 とＲ8 からなる群の１つ以下が同時に使用され、そして、スペーサー対であるＲ9 とＲ10、Ｒ10とＲ11、Ｒ11とＲ12、及びＲ12とＲ13からなる群の１つ以下が同時に使用され；
Ｒ4 とＲ9 、Ｒ4 とＲ13、Ｒ8 とＲ9 、及びＲ8 とＲ13は、それぞれ独立に、スペーサー対を形成するように選択され、その際、前記スペーサー対は、一緒になって、線状部分を形成し、前記線状部分は、５〜８の連続メンバーを有する部分飽和ヘテロシクリル環及び５〜６の連続メンバーを有するヘテロアリール環からなる群から選択される環を形成し、但し、スペーサー対であるＲ4 とＲ9 、Ｒ4 とＲ13、Ｒ8 とＲ9 、及びＲ8 とＲ13からなる群の１つ以下が同時に使用される。〕
を有する化合物又は薬学的に許容できるその塩。
【請求項２】  請求項１の化合物であって、式：
【化３】
2002525351.tif 000003
〔式中、
ｎは、１〜３から選択される整数であり；
Ｘは、オキシであり；
Ｒ16は、ヒドリド及び；共有単結合と、Ｒ4 、Ｒ8 、Ｒ9 及びＲ13からなる群から選択されるいずれかの芳香族置換基の結合点に連結して５〜１０の連続メンバーを有するヘテロシクリル環を形成する１〜４原子の鎖長を有する線状スペーサー部分とからなる群から選択されるスペーサー；からなる群から選択され；
Ｒ1 は、ハロアルキル及びハロアルコキシメチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式
(III)；
【化４】
2002525351.tif 000004
であり；
Ｄ1 、Ｄ2 、Ｊ1 、Ｊ2 及びＫ1 は、Ｃ、Ｎ、Ｏ、Ｓ及び共有結合からなる群から独立に選択され、但し、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｒ2 は、ヒドリド、アリール、アルキル、アルケニル、ハロアルキル、ハロアルコキシ、ハロアルコキシアルキル、ペルハロアリール、ペルハロアラルキル、ペルハロアリールオキシアルキル、及びヘテロアリールからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 は、ヒドリド、アリール、アルキル、アルケニル、ハロアルキル、及びハロアルコキシアルキルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｚは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｒ4 、Ｒ8 、Ｒ9 、及びＲ13は、ヒドリド、ハロ、ハロアルキル、及びアルキルからなる群から独立に選択され；
Ｒ5 、Ｒ6 、Ｒ7 、Ｒ10、Ｒ11、及びＲ12は、ヒドリド、カルボキシ、ヘテロアラルキルチオ、ヘテロアラルコキシ、シクロアルキルアミノ、アシルアルキル、アシルアルコキシ、アロイルアルコキシ、ヘテロシクリルオキシ、アラルキルアリール、アラルキル、アラルケニル、アラルキニル、ヘテロシクリル、ペルハロアラルキル、アラルキルスルホニル、アラルキルスルホニルアルキル、アラルキルスルフィニル、アラルキルスルフィニルアルキル、ハロシクロアルキル、ハロシクロアルケニル、シクロアルキルスルフィニル、シクロアルキルスルフィニルアルキル、シクロアルキルスルホニル、シクロアルキルスルホニルアルキル、ヘテロアリールアミノ、Ｎ−ヘテロアリールアミノ−Ｎ−アルキルアミノ、ヘテロアリールアミノアルキル、ハロアルキルチオ、アルカノイルオキシ、アルコキシ、アルコキシアルキル、ハロアルコキシアルキル、ヘテロアラルコキシ、シクロアルコキシ、シクロアルケニルオキシ、シクロアルコキシアルキル、シクロアルキルアルコキシ、シクロアルケニルオキシアルキル、シクロアルキレンジオキシ、ハロシクロアルコキシ、ハロシクロアルコキシアルキル、ハロシクロアルケニルオキシ、ハロシクロアルケニルオキシアルキル、ヒドロキシ、アミノ、チオ、ニトロ、低級アルキルアミノ、アルキルチオ、アルキルチオアルキル、アリールアミノ、アラルキルアミノ、アリールチオ、アリールチオアルキル、ヘテロアラルコキシアルキル、アルキルスルフィニル、アルキルスルフィニルアルキル、アリールスルフィニルアルキル、アリールスルホニルアルキル、ヘテロアリールスルフィニルアルキル、ヘテロアリールスルホニルアルキル、アルキルスルホニル、アルキルスルホニルアルキル、ハロアルキルスルフィニルアルキル、ハロアルキルスルホニルアルキル、アルキルスルホンアミド、アルキルアミノスルホニル、アミドスルホニル、モノアルキルアミドスルホニル、ジアルキルアミドスルホニル、モノアリールアミドスルホニル、アリールスルホンアミド、ジアリールアミドスルホニル、モノアルキルモノアリールアミドスルホニル、アリールスルフィニル、アリールスルホニル、ヘテロアリールチオ、ヘテロアリールスルフィニル、ヘテロアリールスルホニル、ヘテロシクリルスルホニル、ヘテロシクリルチオ、アルカノイル、アルケノイル、アロイル、ヘテロアロイル、アラルカノイル、ヘテロアラルカノイル、ハロアルカノイル、アルキル、アルケニル、アルキニル、アルケニルオキシ、アルケニルオキシアルキル、アルキレンジオキシ、ハロアルキレンジオキシ、シクロアルキル、シクロアルキルアルカノイル、シクロアルケニル、低級シクロアルキルアルキル、低級シクロアルケニルアルキル、ハロ、ハロアルキル、ハロアルケニル、ハロアルコキシ、ヒドロキシハロアルキル、ヒドロキシアラルキル、ヒドロキシアルキル、ヒドロキシヘテロアラルキル、ハロアルコキシアルキル、アリール、ヘテロアラルキニル、アリールオキシ、アラルコキシ、アリールオキシアルキル、飽和ヘテロシクリル、部分飽和ヘテロシクリル、ヘテロアリール、ヘテロアリールオキシ、ヘテロアリールオキシアルキル、ヘテロアラルキル、アリールアルケニル、ヘテロアリールアルケニル、カルボキシアルキル、カルボアルコキシ、アルコキシカルボキサミド、アルキルアミドカルボニルアミド、アリールアミドカルボニルアミド、カルボアルコキシアルキル、カルボアルコキシアルケニル、カルボアラルコキシ、カルボキサミド、カルボキサミドアルキル、シアノ、カルボハロアルコキシ、ホスホノ、ホスホノアルキル、ジアラルコキシホスホノ、及びジアラルコキシホスホノアルキルからなる群から独立に選択され；
Ｒ4 とＲ5 、Ｒ5 とＲ6 、Ｒ6 とＲ7 、Ｒ7 とＲ8 、Ｒ9 とＲ10、Ｒ10とＲ11、Ｒ11とＲ12、及びＲ12とＲ13は、スペーサー対を形成するように独立に選択され、その際、スペーサー対は、一緒になって、前記スペーサー対メンバーの結合点を繋ぐ３〜６の連続原子を有する線状部分を形成して、５〜８の連続メンバーを有するシクロアルケニル環、５〜８の連続メンバーを有する部分飽和ヘテロシクリル環、５〜６の連続メンバーを有するヘテロアリール環、及びアリールからなる群から選択される環を形成し、但し、スペーサー対であるＲ4 とＲ5 、Ｒ5 とＲ6 、Ｒ6 とＲ7 、及びＲ7 とＲ8 からなる群の１つ以下が同時に使用され、そして、スペーサー対であるＲ9 とＲ10、Ｒ10とＲ11、Ｒ11とＲ12、及びＲ12とＲ13からなる群の１つ以下が同時に使用される。〕
を有する化合物又は薬学的に許容できるその塩。
【請求項３】  請求項２の化合物であって、式：
【化５】
2002525351.tif 000005
〔式中、
ｎは、１〜３から選択される整数であり；
Ｒ16は、ヒドリド及び；共有単結合と、Ｒ4 、Ｒ8 、Ｒ9 及びＲ13からなる群から選択されるいずれかの芳香族置換基の結合点に連結して５〜１０の連続メンバーを有するヘテロシクリル環を形成する１〜４原子の鎖長を有する線状スペーサー部分とからなる群から選択されるスペーサー；からなる群から選択され；
Ｒ1 は、ハロアルキル及びハロアルコキシメチルからなる群から選択され、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化６】
2002525351.tif 000006
であり；
Ｒ2 は、ヒドリド、アリール、アルキル、アルケニル、ハロアルキル、ハロアルコキシ、ハロアルコキシアルキル、ペルハロアリール、ペルハロアラルキル、ペルハロアリールオキシアルキル、及びヘテロアリールからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 は、ヒドリド、アリール、アルキル、アルケニル、ハロアルキル、及びハロアルコキシアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｚは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｒ4 、Ｒ8 、Ｒ9 、及びＲ13は、ヒドリド、ハロ、ハロアルキル、及びアルキルからなる群から独立に選択され；
Ｒ5 、Ｒ6 、Ｒ7 、Ｒ10、Ｒ11、及びＲ12は、ヒドリド、カルボキシ、ヘテロアラルキルチオ、ヘテロアラルコキシ、シクロアルキルアミノ、アシルアルキル、アシルアルコキシ、アロイルアルコキシ、ヘテロシクリルオキシ、アラルキルアリール、アラルキル、アラルケニル、アラルキニル、ヘテロシクリル、ペルハロアラルキル、アラルキルスルホニル、アラルキルスルホニルアルキル、アラルキルスルフィニル、アラルキルスルフィニルアルキル、ハロシクロアルキル、ハロシクロアルケニル、シクロアルキルスルフィニル、シクロアルキルスルフィニルアルキル、シクロアルキルスルホニル、シクロアルキルスルホニルアルキル、ヘテロアリールアミノ、Ｎ−ヘテロアリールアミノ−Ｎ−アルキルアミノ、ヘテロアリールアミノアルキル、ハロアルキルチオ、アルカノイルオキシ、アルコキシ、アルコキシアルキル、ハロアルコキシアルキル、ヘテロアラルコキシ、シクロアルコキシ、シクロアルケニルオキシ、シクロアルコキシアルキル、シクロアルキルアルコキシ、シクロアルケニルオキシアルキル、シクロアルキレンジオキシ、ハロシクロアルコキシ、ハロシクロアルコキシアルキル、ハロシクロアルケニルオキシ、ハロシクロアルケニルオキシアルキル、ヒドロキシ、アミノ、チオ、ニトロ、低級アルキルアミノ、アルキルチオ、アルキルチオアルキル、アリールアミノ、アラルキルアミノ、アリールチオ、アリールチオアルキル、ヘテロアラルコキシアルキル、アルキルスルフィニル、アルキルスルフィニルアルキル、アリールスルフィニルアルキル、アリールスルホニルアルキル、ヘテロアリールスルフィニルアルキル、ヘテロアリールスルホニルアルキル、アルキルスルホニル、アルキルスルホニルアルキル、ハロアルキルスルフィニルアルキル、ハロアルキルスルホニルアルキル、アルキルスルホンアミド、アルキルアミノスルホニル、アミドスルホニル、モノアルキルアミドスルホニル、ジアルキルアミドスルホニル、モノアリールアミドスルホニル、アリールスルホンアミド、ジアリールアミドスルホニル、モノアルキルモノアリールアミドスルホニル、アリールスルフィニル、アリールスルホニル、ヘテロアリールチオ、ヘテロアリールスルフィニル、ヘテロアリールスルホニル、ヘテロシクリルスルホニル、ヘテロシクリルチオ、アルカノイル、アルケノイル、アロイル、ヘテロアロイル、アラルカノイル、ヘテロアラルカノイル、ハロアルカノイル、アルキル、アルケニル、アルキニル、アルケニルオキシ、アルケニルオキシアルキル、アルキレンジオキシ、ハロアルキレンジオキシ、シクロアルキル、シクロアルキルアルカノイル、シクロアルケニル、低級シクロアルキルアルキル、低級シクロアルケニルアルキル、ハロ、ハロアルキル、ハロアルケニル、ハロアルコキシ、ヒドロキシハロアルキル、ヒドロキシアラルキル、ヒドロキシアルキル、ヒドロキシヘテロアラルキル、ハロアルコキシアルキル、アリール、ヘテロアラルキニル、アリールオキシ、アラルコキシ、アリールオキシアルキル、飽和ヘテロシクリル、部分飽和ヘテロシクリル、ヘテロアリール、ヘテロアリールオキシ、ヘテロアリールオキシアルキル、ヘテロアラルキル、アリールアルケニル、ヘテロアリールアルケニル、カルボキシアルキル、カルボアルコキシ、アルコキシカルボキサミド、アルキルアミドカルボニルアミド、アリールアミドカルボニルアミド、カルボアルコキシアルキル、カルボアルコキシアルケニル、カルボアラルコキシ、カルボキサミド、カルボキサミドアルキル、シアノ、カルボハロアルコキシ、ホスホノ、ホスホノアルキル、ジアラルコキシホスホノ、及びジアラルコキシホスホノアルキルからなる群から独立に選択され；
Ｒ4 とＲ5 、Ｒ5 とＲ6 、Ｒ6 とＲ7 、Ｒ7 とＲ8 、Ｒ9 とＲ10、Ｒ10とＲ11、Ｒ11とＲ12、及びＲ12とＲ13は、スペーサー対を形成するように独立に選択され、その際、スペーサー対は、一緒になって、前記スペーサー対メンバーの結合点を繋ぐ３〜６の連続原子を有する線状部分を形成して、５〜８の連続メンバーを有するシクロアルケニル環、５〜８の連続メンバーを有する部分飽和ヘテロシクリル環、５〜６の連続メンバーを有するヘテロアリール環、及びアリールからなる群から選択される環を形成し、但し、スペーサー対であるＲ4 とＲ5 、Ｒ5 とＲ6 、Ｒ6 とＲ7 、及びＲ7 とＲ8 からなる群の１つ以下が同時に使用され、そして、スペーサー対であるＲ9 とＲ10、Ｒ10とＲ11、Ｒ11とＲ12、及びＲ12とＲ13からなる群の１つ以下が同時に使用される。〕
を有する化合物又は薬学的に許容できるその塩。
【請求項４】  請求項３の化合物であって、
ｎが１の整数であり；
Ｒ16が、Ｒ4 、Ｒ8 、Ｒ9 又はＲ13と一緒になって、共有単結合、ＣＨ2 、ＣＨ（ＣＨ3)、ＣＦ2 、Ｃ（Ｏ）、Ｃ（Ｓ）、及びＳＯ2 からなる群から選択されるスペーサーを形成し；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａｐｃ）Ｑｐの両方よりも高い Cahn-Ingold-Prelog 立体化学システムランキングを有し、ここで、Ａｐｃは式（II−ＰＣ）及びＱｐは式 (III −Ｐ）；
【化７】
2002525351.tif 000007
であり；
Ｒ2 が、ヒドリド、フェニル、４−トリフルオロメチルフェニル、ビニル、１，１，２，２−テトラフルオロエトキシメチル、トリフルオロメトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａｐｃ）Ｑｐの両方よりも低い Cahn-Ingold-Prelog システムランキングを有し；
Ｒ3 が、ヒドリド、メチル、エチル、ビニル、フェニル、４−トリフルオロメチルフェニル、トリフルオロメチル、トリフルオロメトキシメチル、ジフルオロメチル、クロロジフルオロメチル、及びペンタフルオロエチルからなる群から選択され、但し、（ＣＨＲ3)n −Ｎ（Ａｐｃ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙが、共有単結合、オキシ、メチレンオキシ、メチレン、及びエチレンからなる群から選択され；
Ｚが、共有単結合、オキシ、メチレンオキシ、メチレン、及びエチレンからなる群から選択され；
Ｒ4 、Ｒ8 、Ｒ9 、及びＲ13が、ヒドリド及びフルオロからなる群から独立に選択され；
Ｒ5 及びＲ10が、４−アミノフェノキシ、ベンゾイル、ベンジル、ベンジルオキシ、５−ブロモ−２−フルオロフェノキシ、４−ブロモ−３−フルオロフェノキシ、４−ブロモ−２−ニトロフェノキシ、３−ブロモベンジルオキシ、４−ブロモベンジルオキシ、４−ブロモフェノキシ、５−ブロモ−２−ピリジルオキシ、４−ブトキシフェノキシ、クロロ、３−クロロベンジル、２−クロロフェノキシ、４−クロロフェノキシ、４−クロロ−３−エチルフェノキシ、３−クロロ−４−フルオロベンジル、３−クロロ−４−フルオロフェニル、３−クロロ−２−フルオロベンジルオキシ、３−クロロベンジルオキシ、４−クロロベンジルオキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、２−シアノ−３−ピリジルオキシ、４−シアノフェノキシ、シクロブトキシ、シクロブチル、シクロヘキソキシ、シクロヘキシルメトキシ、シクロペントキシ、シクロペンチル、シクロペンチルカルボニル、シクロプロピル、シクロプロピルメトキシ、シクロプロポキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、２，４−ジフルオロベンジルオキシ、３，４−ジフルオロベンジルオキシ、２，５−ジフルオロベンジルオキシ、３，５−ジフルオロフェノキシ、３，４−ジフルオロフェニル、３，５−ジフルオロベンジルオキシ、４−ジフルオロメトキシベンジルオキシ、２，３−ジフルオロフェノキシ、２，４−ジフルオロフェノキシ、２，５−ジフルオロフェノキシ、３，５−ジメトキシフェノキシ、３−ジメチルアミノフェノキシ、３，５−ジメチルフェノキシ、３，４−ジメチルフェノキシ、３，４−ジメチルベンジル、３，４−ジメチルベンジルオキシ、３，５−ジメチルベンジルオキシ、２，２−ジメチルプロポキシ、１，３−ジオキサン−２−イル、１，４−ジオキサン−２−イル、１，３−ジオキサン−２−イル、エトキシ、４−エトキシフェノキシ、４−エチルベンジルオキシ、３−エチルフェノキシ、４−エチルアミノフェノキシ、３−エチル−５−メチルフェノキシ、フルオロ、４−フルオロ−３−メチルベンジル、４−フルオロ−３−メチルフェニル、４−フルオロ−３−メチルベンゾイル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、４−フルオロ−２−トリフルオロメチルベンジルオキシ、４−フルオロ−３−トリフルオロメチルベンジルオキシ、２−フルオロフェノキシ、４−フルオロフェノキシ、２−フルオロ−３−トリフルオロメチル��ェノキシ、２−フルオロベンジルオキシ、４−フルオロフェニルアミノ、２−フルオロ−４−トリフルオロメチルフェノキシ、４−フルオロ−２−ピリジルオキシ、２−フリル、３−フリル、ヘプタフルオロプロピル、１，１，１，３，３，３−ヘプタフルオロプロピル、２−ヒドロキシ−３，３，３−トリフルオロプロポキシ、３−ヨードベンジルオキシ、イソブチル、イソブチルアミノ、イソブトキシ、３−イソキサゾリル、４−イソキサゾリル、５−イソキサゾリル、イソプロポキシ、イソプロピル、４−イソプロピルベンジルオキシ、３−イソプロピルフェノキシ、４−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシカルボニルブトキシ、３−メトキシカルボニル−２−プロペニルオキシ、４−メトキシフェニル、３−メトキシフェニルアミノ、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニトロフェニル、４−ニトロフェニルチオ、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、フェニルスルホニル、４−プロパノイルフェノキシ、プロポキシ、４−プロピルフェノキシ、４−プロポキシフェノキシ、チオフェン−３−イル、sec-ブチル、４−sec-ブチルフェノキシ、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，３，５−トリフルオロベンジルオキシ、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、３−トリフルオロメトキシフェノキシ、４−トリフルオロメトキシフェノキシ、トリフルオロメチル、３−トリフルオロメチルベンジルオキシ、４−トリフルオロメチルベンジルオキシ、２，４−ビス−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、３−トリフルオロメチルチオベンジルオキシ、４−トリフルオロメチルチオベンジルオキシ、２，３，４−トリフルオロフェノキシ、２，３，４−トリフルオロフェニル、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、及びトリフルオロメチルチオからなる群から独立に選択され；
Ｒ6 及びＲ11が、クロロ、フルオロ、ヒドリド、ジフルオロメトキシ、トリフルオロメチル、トリフルオロメトキシ、ペンタフルオロエチル、及び１，１，２，２−テトラフルオロエトキシからなる群から独立に選択され；
Ｒ7 及びＲ12が、ヒドリド、フルオロ、及びトリフルオロメチルからなる群から独立に選択される
化合物又は薬学的に許容できるその塩。
【請求項５】  請求項４の化合物であって、
Ｒ16が、Ｒ4 、Ｒ8 、Ｒ9 又はＲ13と一緒になって、共有単結合を形成し；
ｎが１の整数であり；
Ｒ1 が、トリフルオロメチル及びペンタフルオロエチルからなる群から選択され、但し、Ｒ1 は、Ｒ2 及び（ＣＨＲ3)n −Ｎ（Ａｐｃ）Ｑｐの両方よりも高い
Cahn-Ingold-Prelog 立体化学システムランキングを有し、ここで、Ａｐｃは式（II−ＰＣ）及びＱｐは式 (III −Ｐ）；
【化８】
2002525351.tif 000008
であり；
Ｒ2 が、ヒドリド及びフェニルからなる群から選択され、但し、Ｒ2 は、Ｒ1 及び（ＣＨＲ3)n −Ｎ（Ａｐｃ）Ｑｐの両方よりも低い Cahn-Ingold-Prelog システムランキングを有し；
Ｒ3 が、ヒドリド、メチル、トリフルオロメチル、及びジフルオロメチルからなる群から選択され、但し、（ＣＨＲ3)n −Ｎ（Ａｐｃ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、シクロペンチル、１，１，２，２−テトラフルオロエトキシ、２−フリル、１，１−ビス−トリフルオロメチル−１−ヒドロキシメチル、イソブチル、イソプロポキシ、ペンタフルオロエチル、トリフルオロメトキシ、トリフルオロメチル、及びトリフルオロメチルチオからなる群から独立に選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項６】  請求項３の化合物であって、
ｎが、１及び２から選択される整数であり；
Ｒ1 が、ハロアルキル及びハロアルコキシメチルからなる群から選択され、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化９】
2002525351.tif 000009
であり；
Ｒ16がヒドリドであり；
Ｒ2 が、ヒドリド、アリール、アルキル、アルケニル、ハロアルキル、ハロアルコキシ、ハロアルコキシアルキル、ペルハロアリール、ペルハロアラルキル、ペルハロアリールオキシアルキル、及びヘテロアリールからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、アリール、アルキル、アルケニル、ハロアルキル、及びハロアルコキシアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙが、共有単結合、オキシ、及びＣ1 〜Ｃ2 アルキレンからなる群から選択され；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される化合物又は薬学的に許容できるその塩。
【請求項７】  請求項６の化合物であって、
ｎが１の整数であり；
Ｒ16がヒドリドであり；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱは式 (III −Ｐ）；
【化１０】
2002525351.tif 000010
であり；
Ｒ2 が、ヒドリド、メチル、エチル、プロピル、ブチル、ビニル、フェニル、４−トリフルオロメチルフェニル、１，１，２，２−テトラフルオロエトキシメチル、トリフルオロメトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、フェニル、４−トリフルオロメチルフェニル、メチル、エチル、ビニル、トリフルオロメチル、トリフルオロメトキシメチル、ジフルオロメチル、クロロジフルオロメチル、及びペンタフルオロエチルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙが、メチレン及びエチレンからなる群から選択され；
Ｚが共有単結合であり；
Ｒ4 、Ｒ8 、Ｒ9 、及びＲ13が、ヒドリド及びフルオロからなる群から独立に選択され；
Ｒ5 及びＲ10が、４−アミノフェノキシ、ベンゾイル、ベンジル、ベンジルオキシ、５−ブロモ−２−フルオロフェノキシ、４−ブロモ−３−フルオロフェノキシ、４−ブロモ−２−ニトロフェノキシ、３−ブロモベンジルオキシ、４−ブロモベンジルオキシ、４−ブロモフェノキシ、５−ブロモ−２−ピリジルオキシ、４−ブトキシフェノキシ、クロロ、３−クロロベンジル、２−クロロフェノキシ、４−クロロフェノキシ、４−クロロ−３−エチルフェノキシ、３−クロロ−４−フルオロベンジル、３−クロロ−４−フルオロフェニル、３−クロロ−２−フルオロベンジルオキシ、３−クロロベンジルオキシ、４−クロロベンジルオキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、２−シアノ−３−ピリジルオキシ、４−シアノフェノキシ、シクロブトキシ、シクロブチル、シクロヘキソキシ、シクロヘキシルメトキシ、シクロペントキシ、シクロペンチル、シクロペンチルカルボニル、シクロプロピル、シクロプロピルメトキシ、シクロプロポキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、２，４−ジフルオロベンジルオキシ、３，４−ジフルオロベンジルオキシ、２，５−ジフルオロベンジルオキシ、３，５−ジフルオロフェノキシ、３，４−ジフルオロフェニル、３，５−ジフルオロベンジルオキシ、４−ジフルオロメトキシベンジルオキシ、２，３−ジフルオロフェノキシ、２，４−ジフルオロフェノキシ、２，５−ジフルオロフェノキシ、３，５−ジメトキシフェノキシ、３−ジメチルアミノフェノキシ、３，５−ジメチルフェノキシ、３，４−ジメチルフェノキシ、３，４−ジメチルベンジル、３，４−ジメチルベンジルオキシ、３，５−ジメチルベンジルオキシ、２，２−ジメチルプロポキシ、１，３−ジオキサン−２−イル、１，４−ジオキサン−２−イル、１，３−ジオキサン−２−イル、エトキシ、４−エトキシフェノキシ、４−エチルベンジルオキシ、３−エチルフェノキシ、４−エチルアミノフェノキシ、３−エチル−５−メチルフェノキシ、フルオロ、４−フルオロ−３−メチルベンジル、４−フルオロ−３−メチルフェニル、４−フルオロ−３−メチルベンゾイル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、４−フルオロ−２−トリフルオロメチルベンジルオキシ、４−フルオロ−３−トリフルオロメチルベンジルオキシ、２−フルオロフェノキシ、４−フルオロフェノキシ、２−フルオロ−３−トリフルオロメチル��ェノキシ、２−フルオロベンジルオキシ、４−フルオロフェニルアミノ、２−フルオロ−４−トリフルオロメチルフェノキシ、４−フルオロ−２−ピリジルオキシ、２−フリル、３−フリル、ヘプタフルオロプロピル、１，１，１，３，３，３−ヘプタフルオロプロピル、２−ヒドロキシ−３，３，３−トリフルオロプロポキシ、３−ヨードベンジルオキシ、イソブチル、イソブチルアミノ、イソブトキシ、３−イソキサゾリル、４−イソキサゾリル、５−イソキサゾリル、イソプロポキシ、イソプロピル、４−イソプロピルベンジルオキシ、３−イソプロピルフェノキシ、４−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシカルボニルブトキシ、３−メトキシカルボニル−２−プロペニルオキシ、４−メトキシフェニル、３−メトキシフェニルアミノ、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニトロフェニル、４−ニトロフェニルチオ、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、フェニルスルホニル、４−プロパノイルフェノキシ、プロポキシ、４−プロピルフェノキシ、４−プロポキシフェノキシ、チオフェン−３−イル、sec-ブチル、４−sec-ブチルフェノキシ、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，３，５−トリフルオロベンジルオキシ、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、３−トリフルオロメトキシフェノキシ、４−トリフルオロメトキシフェノキシ、トリフルオロメチル、３−トリフルオロメチルベンジルオキシ、４−トリフルオロメチルベンジルオキシ、２，４−ビス−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、３−トリフルオロメチルチオベンジルオキシ、４−トリフルオロメチルチオベンジルオキシ、２，３，４−トリフルオロフェノキシ、２，３，４−トリフルオロフェニル、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、トリフルオロメチル、及びトリフルオロメトキシからなる群から独立に選択され；
Ｒ7 及びＲ12が、ヒドリド、フルオロ、及びトリフルオロメチルからなる群から独立に選択される
化合物又は薬学的に許容できるその塩。
【請求項８】  請求項７の化合物であって、
ｎが１の整数であり；
Ｒ16がヒドリドであり；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化１１】
2002525351.tif 000011
であり；
Ｒ2 が、ヒドリド、メチル、エチル、フェニル、４−トリフルオロメチルフェニル、トリフルオロメトキシメチル、１，１，２，２−テトラフルオロエトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、フェニル、４−トリフルオロメチルフェニル、メチル、トリフルオロメチル、ジフルオロメチル、及びクロロジフルオロメチルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 及びＲ10が、ベンジルオキシ、５−ブロモ−２−フルオロフェノキシ、４−ブロモ−３−フルオロフェノキシ、３−ブロモベンジルオキシ、４−ブロモフェノキシ、４−ブトキシフェノキシ、３−クロロベンジルオキシ、２−クロロフェノキシ、４−クロロ−３−エチルフェノキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、シクロブトキシ、シクロブチル、シクロヘキシルメトキシ、シクロペントキシ、シクロペンチル、シクロペンチルカルボニル、シクロプロピルメトキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、３，５−ジフルオロベンジルオキシ、ジフルオロメトキシ、３，５−ジフルオロフェノキシ、３，４−ジフルオロフェニル、２，３−ジフルオロフェノキシ、２，４−ジフルオロフェノキシ、２，５−ジフルオロフェノキシ、３，５−ジメトキシフェノキシ、３−ジメチルアミノフェノキシ、３，４−ジメチルベンジルオキシ、３，５−ジメチルベンジルオキシ、３，５−ジメチルフェノキシ、３，４−ジメチルフェノキシ、１，３−ジオキサン−２−イル、３−エチルベンジルオキシ、３−エチルフェノキシ、４−エチルアミノフェノキシ、３−エチル−５−メチルフェノキシ、４−フルオロ−３−メチルベンジル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、２−フルオロフェノキシ、４−フルオロフェノキシ、２−フルオロ−３−トリフルオロメチルフェノキシ、２−フルオロベンジルオキシ、４−フルオロフェニルアミノ、２−フルオロ−４−トリフルオロメチルフェノキシ、２−フリル、３−フリル、ヘプタフルオロプロピル、１，１，１，３，３，３−ヘプタフルオロプロピル、２−ヒドロキシ−３，３，３−トリフルオロプロポキシ、イソブトキシ、イソブチル、３−イソキサゾリル、４−イソキサゾリル、５−イソキサゾリル、イソプロポキシ、３−イソプロピルベンジルオキシ、３−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニ��ロフェニル、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、４−プロピルフェノキシ、４−プロポキシフェノキシ、チオフェン−３−イル、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、４−トリフルオロメトキシフェノキシ、３−トリフルオロメトキシフェノキシ、トリフルオロメチル、３−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、２，３，４−トリフルオロフェノキシ、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、３−トリフルオロメチルチオベンジルオキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、及びトリフルオロメチルからなる群から独立に選択され；
Ｒ7 及びＲ12が、ヒドリド、フルオロ、及びトリフルオロメチルからなる群から独立に選択される
化合物又は薬学的に許容できるその塩。
【請求項９】  請求項６の化合物であって、
ｎが１の整数であり；
Ｒ16がヒドリドであり；
Ｒ1 がハロアルキルであり、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化１２】
2002525351.tif 000012
であり；
Ｒ2 が、ヒドリド、アルキル、ハロアルキル、アリール、及びハロアルコキシからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、アルキル、及びハロアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙが共有単結合であり；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される化合物又は薬学的に許容できるその塩。
【請求項１０】  請求項９の化合物であって、
ｎが１の整数であり；
Ｒ1 が、トリフルオロメチル、クロロジフルオロメチル、及びペンタフルオロエチルからなる群から選択され；
Ｒ16がヒドリドであり；
Ｒ2 がヒドリドであり；
Ｒ3 がヒドリドであり；
Ｙが共有単結合であり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、１，１，２，２−テトラフルオロエトキシ、ペンタフルオロエチル、及びトリフルオロメチルからなる群から選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項１１】  請求項６の化合物であって、
ｎが１の整数であり；
Ｒ16がヒドリドであり；
Ｒ1 がハロアルキルせあり、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化１３】
2002525351.tif 000013
であり；
Ｒ2 が、ヒドリド、アルキル、ハロアルキル、アリール、及びハロアルコキシからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、アルキル、及びハロアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙがオキシであり；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される化合物又は薬学的に許容できるその塩。
【請求項１２】  請求項１１の化合物であって、
ｎが１の整数であり；
Ｒ16がヒドリドであり；
Ｒ1 が、トリフルオロメチル、クロロジフルオロメチル、及びペンタフルオロエチルからなる群から選択され；
Ｒ2 がヒドリドであり；
Ｒ3 がヒドリドであり；
Ｙがオキシであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、１，１，２，２−テトラフルオロエトキシ、ペンタフルオロエチル、及びトリフルオロメチルからなる群から選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項１３】  請求項６の化合物であって、
ｎが１の整数であり；
Ｒ16がヒドリドであり；
Ｒ1 がハロアルキルせあり、但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化１４】
2002525351.tif 000014
であり；
Ｒ2 が、ヒドリド、アルキル、ハロアルキル、アリール、及びハロアルコキシからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、アルキル、及びハロアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙがメチレンであり；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される化合物又は薬学的に許容できるその塩。
【請求項１４】    請求項１３の化合物であって、
ｎが１の整数であり；
Ｒ1 が、トリフルオロメチル、クロロジフルオロメチル、及びペンタフルオロエチルからなる群から選択され、
但し、Ｒ1 は、Ｒ2 及び（ＣＨＲ3)n −Ｎ（Ａｐ）Ｑｐの両方よりも高い Cahn-Ingold-Prelog 立体化学システムランキングを有し、ここで、Ａｐは式（II−Ｐ）及びＱｐは式 (III −Ｐ）；
【化１５】
2002525351.tif 000015
であり；
Ｒ16がヒドリドであり；
Ｒ2 が、ヒドリド及びフェニルからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 が、ヒドリド、メチル、トリフルオロメチル、及びジフルオロメチルからなる群から選択され、但し、（ＣＨＲ3)n −Ｎ（Ａｐ）Ｑｐは、Ｒ1 よりも低い
Cahn-Ingold-Prelog 立体化学システムランキングを有し、かつＲ2 よりも高い
Cahn-Ingold-Prelog 立体化学システムランキングを有し；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、シクロペンチル、１，１，２，２−テトラフルオロエトキシ、２−フリル、１，１−ビス−トリフルオロメチル−１−ヒドロキシメチル、イソブチル、イソプロポキシ、ペンタフルオロエチル、トリフルオロメトキシ、トリフルオロメチル、及びトリフルオロメチルチオからなる群から独立に選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項１５】  請求項２の化合物であって、式：
【化１６】
2002525351.tif 000016
〔式中、
Ｄ1 、Ｄ2 、Ｊ1 、Ｊ2 及びＫ1 は、それぞれ炭素であり、但し、Ｄ3 、Ｄ4 、Ｊ3 、Ｊ4 及びＫ2 の少なくとも１つは、Ｏ、Ｓ及びＮからなる群から独立に選択され、その際、Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｄ1 、Ｄ2 、Ｊ1 、Ｊ2 及びＫ1 は、Ｃ、Ｎ、Ｏ、Ｓ及び共有結合からなる群から独立に選択され、但し、Ｄ3 、Ｄ4 、Ｊ3 、Ｊ4 及びＫ2 は、それぞれ炭素であり、但し、Ｄ1 、Ｄ2 、Ｊ1 、Ｊ2 及びＫ1 の少なくとも１つは、Ｏ、Ｓ及びＮからなる群から独立に選択され、その際、Ｄ1 、Ｄ2 、Ｊ1 、Ｊ2 及びＫ1 が、Ｃ、Ｏ、Ｓ、共有結合、及びＮからなる群から独立に選択されるときは、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
ｎは、１及び２から選択される整数であり；
Ｘは、オキシであり；
Ｒ16は、ヒドリド及び；共有単結合と、Ｒ4 、Ｒ8 、Ｒ9 及びＲ13からなる群から選択されるいずれかの芳香族置換基の結合点に連結して５〜１０の連続メンバーを有するヘテロシクリル環を形成する１〜４原子の鎖長を有する線状スペーサー部分とからなる群から選択されるスペーサー；からなる群から選択され；
Ｒ1 は、ハロアルキル及びハロアルコキシメチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式
(III)；
【化１７】
2002525351.tif 000017
であり；
Ｒ2 は、ヒドリド、アリール、アルキル、アルケニル、ハロアルキル、ハロアルコキシ、ハロアルコキシアルキル、ペルハロアリール、ペルハロアラルキル、ペルハロアリールオキシアルキル、及びヘテロアリールからなる群から選択され、但し、Ｒ2 は、Ｒ1 及び（ＣＨＲ3)n −Ｎ（Ａｐ）Ｑｐの両方よりも低い Cahn-Ingold-Prelog システムランキングを有し；
Ｒ3 は、ヒドリド、アリール、アルキル、アルケニル、ハロアルキル、及びハロアルコキシアルキルからなる群から選択され、但し、（ＣＨＲ3)n −Ｎ（Ａｐ）Ｑｐは、Ｒ1 よりも低い Cahn-Ingold-Prelog 立体化学システムランキングを有し、かつＲ2 よりも高い Cahn-Ingold-Prelog 立体化学システムランキングを有し；
Ｙは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｚは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｒ4 、Ｒ8 、Ｒ9 、及びＲ13は、ヒドリド、ハロ、ハロアルキル、及びアルキルからなる群から独立に選択され；
Ｒ5 、Ｒ6 、Ｒ7 、Ｒ10、Ｒ11、及びＲ12は、ヒドリド、カルボキシ、ヘテロアラルキルチオ、ヘテロアラルコキシ、シクロアルキルアミノ、アシルアルキル、アシルアルコキシ、アロイルアルコキシ、ヘテロシクリルオキシ、アラルキルアリール、アラルキル、アラルケニル、アラルキニル、ヘテロシクリル、ペルハロアラルキル、アラルキルスルホニル、アラルキルスルホニルアルキル、アラルキルスルフィニル、アラルキルスルフィニルアルキル、ハロシクロアルキル、ハロシクロアルケニル、シクロアルキルスルフィニル、シクロアルキルスルフィニルアルキル、シクロアルキルスルホニル、シクロアルキルスルホニルアルキル、ヘテロアリールアミノ、Ｎ−ヘテロアリールアミノ−Ｎ−アルキルアミノ、ヘテロアリールアミノアルキル、ハロアルキルチオ、アルカノイルオキシ、アルコキシ、アルコキシアルキル、ハロアルコキシアルキル、ヘテロアラルコキシ、シクロアルコキシ、シクロアルケニルオキシ、シクロアルコキシアルキル、シクロアルキルアルコキシ、シクロアルケニルオキシアルキル、シクロアルキレンジオキシ、ハロシクロアルコキシ、ハロシクロアルコキシアルキル、ハロシクロアルケニルオキシ、ハロシクロアルケニルオキシアルキル、ヒドロキシ、アミノ、チオ、ニトロ、低級アルキルアミノ、アルキルチオ、アルキルチオアルキル、アリールアミノ、アラルキルアミノ、アリールチオ、アリールチオアルキル、ヘテロアラルコキシアルキル、アルキルスルフィニル、アルキルスルフィニルアルキル、アリールスルフィニルアルキル、アリールスルホニルアルキル、ヘテロアリールスルフィニルアルキル、ヘテロアリールスルホニルアルキル、アルキルスルホニル、アルキルスルホニルアルキル、ハロアルキルスルフィニルアルキル、ハロアルキルスルホニルアルキル、アルキルスルホンアミド、アルキルアミノスルホニル、アミドスルホニル、モノアルキルアミドスルホニル、ジアルキルアミドスルホニル、モノアリールアミドスルホニル、アリールスルホンアミド、ジアリールアミドスルホニル、モノアルキルモノアリールアミドスルホニル、アリールスルフィニル、アリールスルホニル、ヘテロアリールチオ、ヘテロアリールスルフィニル、ヘテロアリールスルホニル、ヘテロシクリルスルホニル、ヘテロシクリルチオ、アルカノイル、アルケノイル、アロイル、ヘテロアロイル、アラルカノイル、ヘテロアラルカノイル、ハロアルカノイル、アルキル、アルケニル、アルキニル、アルケニルオキシ、アルケニルオキシアルキル、アルキレンジオキシ、ハロアルキレンジオキシ、シクロアルキル、シクロアルキルアルカノイル、シクロアルケニル、低級シクロアルキルアルキル、低級シクロアルケニルアルキル、ハロ、ハロアルキル、ハロアルケニル、ハロアルコキシ、ヒドロキシハロアルキル、ヒドロキシアラルキル、ヒドロキシアルキル、ヒドロキシヘテロアラルキル、ハロアルコキシアルキル、アリール、ヘテロアラルキニル、アリールオキシ、アラルコキシ、アリールオキシアルキル、飽和ヘテロシクリル、部分飽和ヘテロシクリル、ヘテロアリール、ヘテロアリールオキシ、ヘテロアリールオキシアルキル、ヘテロアラルキル、アリールアルケニル、ヘテロアリールアルケニル、カルボキシアルキル、カルボアルコキシ、アルコキシカルボキサミド、アルキルアミドカルボニルアミド、アリールアミドカルボニルアミド、カルボアルコキシアルキル、カルボアルコキシアルケニル、カルボアラルコキシ、カルボキサミド、カルボキサミドアルキル、シアノ、カルボハロアルコキシ、ホスホノ、ホスホノアルキル、ジアラルコキシホスホノ、及びジアラルコキシホスホノアルキルからなる群から独立に選択され；
Ｒ4 とＲ5 、Ｒ5 とＲ6 、Ｒ6 とＲ7 、Ｒ7 とＲ8 、Ｒ9 とＲ10、Ｒ10とＲ11、Ｒ11とＲ12、及びＲ12とＲ13は、スペーサー対を形成するように独立に選択され、その際、スペーサー対は、一緒になって、前記スペーサー対メンバーの結合点を繋ぐ３〜６の連続原子を有する線状部分を形成して、５〜８の連続メンバーを有するシクロアルケニル環、５〜８の連続メンバーを有する部分飽和ヘテロシクリル環、５〜６の連続メンバーを有するヘテロアリール環、及びアリールからなる群から選択される環を形成し、但し、スペーサー対であるＲ4 とＲ5 、Ｒ5 とＲ6 、Ｒ6 とＲ7 、及びＲ7 とＲ8 からなる群の１つ以下が同時に使用され、そして、スペーサー対であるＲ9 とＲ10、Ｒ10とＲ11、Ｒ11とＲ12、及びＲ12とＲ13からなる群の１つ以下が同時に使用される。〕
を有する化合物又は薬学的に許容できるその塩。
【請求項１６】  請求項１５の化合物であって、
Ｄ1 、Ｄ2 、Ｊ1 、Ｊ2 及びＫ1 がそれぞれ炭素であり、但し、Ｄ3 、Ｄ4 、Ｊ3 、Ｊ4 及びＫ2 の少なくとも１つは、Ｏ、Ｓ及びＮからなる群から独立に選択され、その際、Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｄ1 、Ｄ2 、Ｊ1 、Ｊ2 及びＫ1 が、Ｃ、Ｎ、Ｏ、Ｓ及び共有結合からなる群から独立に選択され、但し、Ｄ3 、Ｄ4 、Ｊ3 、Ｊ4 及びＫ2 は、それぞれ炭素であり、但し、Ｄ1 、Ｄ2 、Ｊ1 、Ｊ2 及びＫ1 の少なくとも１つは、Ｏ、Ｓ及びＮからなる群から独立に選択され、その際、Ｄ1 、Ｄ2 、Ｊ1 、Ｊ2 及びＫ1 が、Ｃ、Ｏ、Ｓ、共有結合、及びＮからなる群から独立に選択されるときは、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
ｎが１の整数であり；
Ｘがオキシであり；
Ｒ16が、Ｒ4 、Ｒ8 、Ｒ9 又はＲ13と一緒になって、共有単結合、ＣＨ2 、ＣＨ（ＣＨ3)、ＣＦ2 、Ｃ（Ｏ）、Ｃ（Ｓ）、及びＳＯ2 からなる群から選択されるスペーサーを形成し；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化１８】
2002525351.tif 000018
であり；
Ｒ2 が、ヒドリド、フェニル、４−トリフルオロメチルフェニル、ビニル、１，１，２，２−テトラフルオロエトキシメチル、トリフルオロメトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、メチル、エチル、ビニル、フェニル、４−トリフルオロメチルフェニル、トリフルオロメチル、トリフルオロメトキシメチル、ジフルオロメチル、クロロジフルオロメチル、及びペンタフルオロエチルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙが、共有単結合、オキシ、メチレンオキシ、メチレン、及びエチレンからなる群から選択され；
Ｚが、共有単結合、オキシ、メチレンオキシ、メチレン、及びエチレンからなる群から選択され；
Ｒ4 、Ｒ8 、Ｒ9 、及びＲ13が、ヒドリド及びフルオロからなる群から独立に選択され；
Ｒ5 及びＲ10が、４−アミノフェノキシ、ベンゾイル、ベンジル、ベンジルオキシ、５−ブロモ−２−フルオロフェノキシ、４−ブロモ−３−フルオロフェノキシ、４−ブロモ−２−ニトロフェノキシ、３−ブロモベンジルオキシ、４−ブロモベンジルオキシ、４−ブロモフェノキシ、５−ブロモ−２−ピリジルオキシ、４−ブトキシフェノキシ、クロロ、３−クロロベンジル、２−クロロフェノキシ、４−クロロフェノキシ、４−クロロ−３−エチルフェノキシ、３−クロロ−４−フルオロベンジル、３−クロロ−４−フルオロフェニル、３−クロロ−２−フルオロベンジルオキシ、３−クロロベンジルオキシ、４−クロロベンジルオキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、２−シアノ−３−ピリジルオキシ、４−シアノフェノキシ、シクロブトキシ、シクロブチル、シクロヘキソキシ、シクロヘキシルメトキシ、シクロペントキシ、シクロペンチル、シクロペンチルカルボニル、シクロプロピル、シクロプロピルメトキシ、シクロプロポキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、２，４−ジフルオロベンジルオキシ、３，４−ジフルオロベンジルオキシ、２，５−ジフルオロベンジルオキシ、３，５−ジフルオロフェノキシ、３，４−ジフルオロフェニル、３，５−ジフルオロベンジルオキシ、４−ジフルオロメトキシベンジルオキシ、２，３−ジフルオロフェノキシ、２，４−ジフルオロフェノキシ、２，５−ジフルオロフェノキシ、３，５−ジメトキシフェノキシ、３−ジメチルアミノフェノキシ、３，５−ジメチルフェノキシ、３，４−ジメチルフェノキシ、３，４−ジメチルベンジル、３，４−ジメチルベンジルオキシ、３，５−ジメチルベンジルオキシ、２，２−ジメチルプロポキシ、１，３−ジオキサン−２−イル、１，４−ジオキサン−２−イル、１，３−ジオキサン−２−イル、エトキシ、４−エトキシフェノキシ、４−エチルベンジルオキシ、３−エチルフェノキシ、４−エチルアミノフェノキシ、３−エチル−５−メチルフェノキシ、フルオロ、４−フルオロ−３−メチルベンジル、４−フルオロ−３−メチルフェニル、４−フルオロ−３−メチルベンゾイル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、４−フルオロ−２−トリフルオロメチルベンジルオキシ、４−フルオロ−３−トリフルオロメチルベンジルオキシ、２−フルオロフェノキシ、４−フルオロフェノキシ、２−フルオロ−３−トリフルオロメチル��ェノキシ、２−フルオロベンジルオキシ、４−フルオロフェニルアミノ、２−フルオロ−４−トリフルオロメチルフェノキシ、４−フルオロ−２−ピリジルオキシ、２−フリル、３−フリル、ヘプタフルオロプロピル、１，１，１，３，３，３−ヘプタフルオロプロピル、２−ヒドロキシ−３，３，３−トリフルオロプロポキシ、３−ヨードベンジルオキシ、イソブチル、イソブチルアミノ、イソブトキシ、３−イソキサゾリル、４−イソキサゾリル、５−イソキサゾリル、イソプロポキシ、イソプロピル、４−イソプロピルベンジルオキシ、３−イソプロピルフェノキシ、４−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシカルボニルブトキシ、３−メトキシカルボニル−２−プロペニルオキシ、４−メトキシフェニル、３−メトキシフェニルアミノ、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニトロフェニル、４−ニトロフェニルチオ、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、フェニルスルホニル、４−プロパノイルフェノキシ、プロポキシ、４−プロピルフェノキシ、４−プロポキシフェノキシ、チオフェン−３−イル、sec-ブチル、４−sec-ブチルフェノキシ、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，３，５−トリフルオロベンジルオキシ、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、３−トリフルオロメトキシフェノキシ、４−トリフルオロメトキシフェノキシ、トリフルオロメチル、３−トリフルオロメチルベンジルオキシ、４−トリフルオロメチルベンジルオキシ、２，４−ビス−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、３−トリフルオロメチルチオベンジルオキシ、４−トリフルオロメチルチオベンジルオキシ、２，３，４−トリフルオロフェノキシ、２，３，４−トリフルオロフェニル、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、及びトリフルオロメチルチオからなる群から独立に選択され；
Ｒ6 及びＲ11が、クロロ、フルオロ、ヒドリド、ジフルオロメトキシ、トリフルオロメチル、トリフルオロメトキシ、ペンタフルオロエチル、及び１，１，２，２−テトラフルオロエトキシからなる群から独立に選択され；
Ｒ7 及びＲ12が、ヒドリド、フルオロ、及びトリフルオロメチルからなる群から独立に選択される
化合物又は薬学的に許容できるその塩。
【請求項１７】  請求項１５の化合物であって、
Ｄ1 、Ｄ2 、Ｊ1 、Ｊ2 及びＫ1 がそれぞれ炭素であり、但し、Ｄ3 、Ｄ4 、Ｊ3 、Ｊ4 及びＫ2 の少なくとも１つは、Ｏ、Ｓ及びＮからなる群から独立に選択され、その際、Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｄ1 、Ｄ2 、Ｊ1 、Ｊ2 及びＫ1 が、Ｃ、Ｎ、Ｏ、Ｓ及び共有結合からなる群から独立に選択され、但し、Ｄ3 、Ｄ4 、Ｊ3 、Ｊ4 及びＫ2 は、それぞれ炭素であり、Ｄ1 、Ｄ2 、Ｊ1 、Ｊ2 及びＫ1 の少なくとも１つは、Ｏ、Ｓ及びＮからなる群から独立に選択され、その際、Ｄ1 、Ｄ2 、Ｊ1 、Ｊ2 及びＫ1 が、Ｃ、Ｏ、Ｓ、共有結合、及びＮからなる群から独立に選択されるときは、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
ｎが１及び２から選択される整数であり；
Ｘがオキシであり；
Ｒ1 が、ハロアルキル及びハロアルコキシメチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式
(III)；
【化１９】
2002525351.tif 000019
であり；
Ｒ16がヒドリドであり；
Ｒ2 が、ヒドリド、アリール、アルキル、アルケニル、ハロアルキル、及びハロアルコキシアルキルからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、アリール、アルキル、アルケニル、ハロアルキル、及びハロアルコキシアルキルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙが、共有単結合、オキシ、及びＣ1 〜Ｃ2 アルキレンからなる群から選択され；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される化合物又は薬学的に許容できるその塩。
【請求項１８】  請求項１７の化合物であって、
ｎが１の整数であり；
Ｘがオキシであり；
Ｒ16がヒドリドであり；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化２０】
2002525351.tif 000020
であり；
Ｒ2 が、ヒドリド、メチル、エチル、プロピル、ブチル、ビニル、フェニル、４−トリフルオロメチルフェニル、１，１，２，２−テトラフルオロエトキシメチル、トリフルオロメトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、フェニル、４−トリフルオロメチルフェニル、メチル、エチル、ビニル、トリフルオロメチル、トリフルオロメトキシメチル、ジフルオロメチル、クロロジフルオロメチル、及びペンタフルオロエチルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙが、共有単結合、メチレン、エチレン、及びオキシからなる群から選択され；
Ｚが共有単結合であり；
Ｒ4 、Ｒ8 、Ｒ9 、及びＲ13が、ヒドリド及びフルオロからなる群から独立に選択され；
Ｒ5 及びＲ10が、４−アミノフェノキシ、ベンゾイル、ベンジル、ベンジルオキシ、５−ブロモ−２−フルオロフェノキシ、４−ブロモ−３−フルオロフェノキシ、４−ブロモ−２−ニトロフェノキシ、３−ブロモベンジルオキシ、４−ブロモベンジルオキシ、４−ブロモフェノキシ、５−ブロモ−２−ピリジルオキシ、４−ブトキシフェノキシ、クロロ、３−クロロベンジル、２−クロロフェノキシ、４−クロロフェノキシ、４−クロロ−３−エチルフェノキシ、３−クロロ−４−フルオロベンジル、３−クロロ−４−フルオロフェニル、３−クロロ−２−フルオロベンジルオキシ、３−クロロベンジルオキシ、４−クロロベンジルオキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、２−シアノ−３−ピリジルオキシ、４−シアノフェノキシ、シクロブトキシ、シクロブチル、シクロヘキソキシ、シクロヘキシルメトキシ、シクロペントキシ、シクロペンチル、シクロペンチルカルボニル、シクロプロピル、シクロプロピルメトキシ、シクロプロポキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、２，４−ジフルオロベンジルオキシ、３，４−ジフルオロベンジルオキシ、２，５−ジフルオロベンジルオキシ、３，５−ジフルオロフェノキシ、３，４−ジフルオロフェニル、３，５−ジフルオロベンジルオキシ、４−ジフルオロメトキシベンジルオキシ、２，３−ジフルオロフェノキシ、２，４−ジフルオロフェノキシ、２，５−ジフルオロフェノキシ、３，５−ジメトキシフェノキシ、３−ジメチルアミノフェノキシ、３，５−ジメチルフェノキシ、３，４−ジメチルフェノキシ、３，４−ジメチルベンジル、３，４−ジメチルベンジルオキシ、３，５−ジメチルベンジルオキシ、２，２−ジメチルプロポキシ、１，３−ジオキサン−２−イル、１，４−ジオキサン−２−イル、１，３−ジオキサン−２−イル、エトキシ、４−エトキシフェノキシ、４−エチルベンジルオキシ、３−エチルフェノキシ、４−エチルアミノフェノキシ、３−エチル−５−メチルフェノキシ、フルオロ、４−フルオロ−３−メチルベンジル、４−フルオロ−３−メチルフェニル、４−フルオロ−３−メチルベンゾイル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、４−フルオロ−２−トリフルオロメチルベンジルオキシ、４−フルオロ−３−トリフルオロメチルベンジルオキシ、２−フルオロフェノキシ、４−フルオロフェノキシ、２−フルオロ−３−トリフルオロメチル��ェノキシ、２−フルオロベンジルオキシ、４−フルオロフェニルアミノ、２−フルオロ−４−トリフルオロメチルフェノキシ、４−フルオロ−２−ピリジルオキシ、２−フリル、３−フリル、ヘプタフルオロプロピル、１，１，１，３，３，３−ヘプタフルオロプロピル、２−ヒドロキシ−３，３，３−トリフルオロプロポキシ、３−ヨードベンジルオキシ、イソブチル、イソブチルアミノ、イソブトキシ、３−イソキサゾリル、４−イソキサゾリル、５−イソキサゾリル、イソプロポキシ、イソプロピル、４−イソプロピルベンジルオキシ、３−イソプロピルフェノキシ、４−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシカルボニルブトキシ、３−メトキシカルボニル−２−プロペニルオキシ、４−メトキシフェニル、３−メトキシフェニルアミノ、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニトロフェニル、４−ニトロフェニルチオ、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、フェニルスルホニル、４−プロパノイルフェノキシ、プロポキシ、４−プロピルフェノキシ、４−プロポキシフェノキシ、チオフェン−３−イル、sec-ブチル、４−sec-ブチルフェノキシ、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，３，５−トリフルオロベンジルオキシ、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、３−トリフルオロメトキシフェノキシ、４−トリフルオロメトキシフェノキシ、トリフルオロメチル、３−トリフルオロメチルベンジルオキシ、４−トリフルオロメチルベンジルオキシ、２，４−ビス−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、３−トリフルオロメチルチオベンジルオキシ、４−トリフルオロメチルチオベンジルオキシ、２，３，４−トリフルオロフェノキシ、２，３，４−トリフルオロフェニル、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、トリフルオロメチル、及びトリフルオロメトキシからなる群から独立に選択され；
Ｒ7 及びＲ12が、ヒドリド、フルオロ、及びトリフルオロメチルからなる群から独立に選択される
化合物又は薬学的に許容できるその塩。
【請求項１９】  請求項１８の化合物であって、
ｎが１の整数であり；
Ｘがオキシであり；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化２１】
2002525351.tif 000021
であり；
Ｒ16がヒドリドであり；
Ｒ2 が、ヒドリド、メチル、エチル、フェニル、４−トリフルオロメチルフェニル、トリフルオロメトキシメチル、１，１，２，２−テトラフルオロエトキシメチル、ジフルオロメチル、及び２，２，３，３，３−ペンタフルオロプロピルからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、フェニル、４−トリフルオロメチルフェニル、メチル、トリフルオロメチル、ジフルオロメチル、及びクロロジフルオロメチルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 及びＲ10が、ベンジルオキシ、５−ブロモ−２−フルオロフェノキシ、４−ブロモ−３−フルオロフェノキシ、３−ブロモベンジルオキシ、４−ブロモフェノキシ、４−ブトキシフェノキシ、３−クロロベンジルオキシ、２−クロロフェノキシ、４−クロロ−３−エチルフェノキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、シクロブトキシ、シクロブチル、シクロヘキシルメトキシ、シクロペントキシ、シクロペンチル、シクロペンチルカルボニル、シクロプロピルメトキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、３，５−ジフルオロベンジルオキシ、ジフルオロメトキシ、３，５−ジフルオロフェノキシ、３，４−ジフルオロフェニル、２，３−ジフルオロフェノキシ、２，４−ジフルオロフェノキシ、２，５−ジフルオロフェノキシ、３，５−ジメトキシフェノキシ、３−ジメチルアミノフェノキシ、３，４−ジメチルベンジルオキシ、３，５−ジメチルベンジルオキシ、３，５−ジメチルフェノキシ、３，４−ジメチルフェノキシ、１，３−ジオキサン−２−イル、３−エチルベンジルオキシ、３−エチルフェノキシ、４−エチルアミノフェノキシ、３−エチル−５−メチルフェノキシ、４−フルオロ−３−メチルベンジル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、２−フルオロフェノキシ、４−フルオロフェノキシ、２−フルオロ−３−トリフルオロメチルフェノキシ、２−フルオロベンジルオキシ、４−フルオロフェニルアミノ、２−フルオロ−４−トリフルオロメチルフェノキシ、２−フリル、３−フリル、ヘプタフルオロプロピル、１，１，１，３，３，３−ヘプタフルオロプロピル、２−ヒドロキシ−３，３，３−トリフルオロプロポキシ、イソブトキシ、イソブチル、３−イソキサゾリル、４−イソキサゾリル、５−イソキサゾリル、イソプロポキシ、３−イソプロピルベンジルオキシ、３−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニ��ロフェニル、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、４−プロピルフェノキシ、４−プロポキシフェノキシ、チオフェン−３−イル、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、４−トリフルオロメトキシフェノキシ、３−トリフルオロメトキシフェノキシ、トリフルオロメチル、３−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、２，３，４−トリフルオロフェノキシ、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、３−トリフルオロメチルチオベンジルオキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、及びトリフルオロメチルからなる群から独立に選択され；
Ｒ7 及びＲ12が、ヒドリド、フルオロ、及びトリフルオロメチルからなる群から独立に選択される
化合物又は薬学的に許容できるその塩。
【請求項２０】  請求項１７の化合物であって、
Ｄ1 、Ｄ2 、Ｊ1 、Ｊ2 及びＫ1 がそれぞれ炭素であり；
Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；Ｄ3 、Ｄ4 、Ｊ3 、Ｊ4 及びＫ2 の４つ以下がＮであり；そして、Ｄ3 、Ｄ4 、Ｊ3 、Ｊ4 及びＫ2 の１つはＯ、Ｓ及びＮからなる群から選択され；
ｎが１の整数であり；
Ｘがオキシであり；
Ｒ16がヒドリドであり；
Ｒ1 がハロアルキルであり、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化２２】
2002525351.tif 000022
であり；
Ｒ2 が、ヒドリド、アルキル、アリール、ハロアルキル、及びハロアルコキシからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、アルキル、及びハロアルキルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
ＹがＣ1 〜Ｃ2 アルキレンであり；
Ｚが共有単結合であり；
Ｒ14がヒドリドであり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、及びヘテロアリールオキシアルキルなる群から独立に選択される
化合物又は薬学的に許容できるその塩。
【請求項２１】  請求項１７の化合物であって、
Ｄ1 、Ｄ2 、Ｊ1 、Ｊ2 及びＫ1 がそれぞれ炭素であり；
Ｄ1 、Ｄ2 、Ｊ1 、Ｊ2 及びＫ1 は、Ｃ、Ｎ、Ｏ、Ｓ及び共有結合からなる群から独立に選択され、但し、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；Ｄ1 、Ｄ2 、Ｊ1 、Ｊ2 及びＫ1 の４つ以下がＮであり；そして、Ｄ1 、Ｄ2 、Ｊ1 、Ｊ2 及びＫ1 の１つはＯ、Ｓ及びＮからなる群から選択され；
ｎが１の整数であり；
Ｘがオキシであり；
Ｒ16がヒドリドであり；
Ｒ1 がハロアルキルであり、但し、Ｒ1 は、Ｒ2 及び（ＣＨＲ3)n −Ｎ（Ａ）Ｑの両方よりも高い Cahn-Ingold-Prelog 立体化学システムランキングを有し、ここで、Ａは式（II）及びＱは式 (III)；
【化２３】
2002525351.tif 000023
であり；
Ｒ2 が、ヒドリド、アルキル、アリール、ハロアルキル、及びハロアルコキシからなる群から選択され、但し、Ｒ2 は、Ｒ1 及び（ＣＨＲ3)n −Ｎ（Ａ）Ｑの両方よりも低い Cahn-Ingold-Prelog システムランキングを有し；
Ｒ3 が、ヒドリド、アルキル、及びハロアルキルからなる群から選択され、但し、（ＣＨＲ3)n −Ｎ（Ａ）Ｑは、Ｒ1 よりも低い Cahn-Ingold-Prelog 立体化学システムランキングを有し、かつＲ2 よりも高い Cahn-Ingold-Prelog 立体化学システムランキングを有し；
ＹがＣ1 〜Ｃ2 アルキレンであり；
Ｚが共有単結合であり；
Ｒ14がヒドリドであり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、及びヘテロアリールオキシアルキルなる群から独立に選択される
化合物又は薬学的に許容できるその塩。
【請求項２２】  請求項２０又は２１の化合物であって、
ｎが１の整数であり；
Ｘがオキシであり；
Ｒ1 が、トリフルオロメチル及びペンタフルオロエチルからなる群から選択され；
Ｒ16がヒドリドであり；
Ｒ2 がヒドリドであり；
Ｒ3 が、ヒドリド、メチル、トリフルオロメチル、及びジフルオロメチルからなる群から選択され；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、シクロペンチル、１，１，２，２−テトラフルオロエトキシ、２−フリル、１，１−ビス−トリフルオロメチル−１−ヒドロキシメチル、イソブチル、イソプロポキシ、ペンタフルオロエチル、トリフルオロメトキシ、トリフルオロメチル、及びトリフルオロメチルチオからなる群から独立に選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項２３】  式：
【化２４】
2002525351.tif 000024
〔式中、
ｎは、１及び２から選択される整数であり；
Ｒ1 は、ハロアルキル及びハロアルコキシアルキルからなる群から選択され；Ｒ16は、ヒドリドであり；
Ｒ2 は、ヒドリドであり；
Ｒ3 は、ヒドリドであり；
Ｙは、共有単結合及びＣ1 〜Ｃ2 アルキレンからなる群から選択され；
Ｚは、共有単結合及びＣ1 〜Ｃ2 アルキレンからなる群から選択され；
Ｒ4 、Ｒ8 、Ｒ9 、及びＲ13は、ヒドリド及びハロからなる群から独立に選択され；
Ｒ5 、Ｒ6 、Ｒ7 、Ｒ10、Ｒ11、及びＲ12は、ペルハロアリールオキシ、Ｎ−アリール−Ｎ−アルキルアミノ、ヘテロシクリルアルコキシ、ヘテロシクリルチオ、ヒドロキシアルコキシ、カルボキサミドアルコキシ、アルコキシカルボニルアルコキシ、アルコキシカルボニルアルケニルオキシ、アラルカノイルアルコキシ、アラルケノイル、Ｎ−アリールカルボキサミドアルコキシ、シクロアルキルカルボニル、シアノアルコキシ、ヘテロシクリルカルボニル、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される。〕
を有する化合物又は薬学的に許容できるその塩。
【請求項２４】  請求項２３の化合物であって、
ｎが１の整数であり；
Ｒ16がヒドリドであり；
Ｘがオキシであり；
Ｒ1 が、トリフルオロメチル、１，１，２，２−テトラフルオロエトキシメチル、トリフルオロメトキシメチル、ジフルオロメチル、クロロジフルオロメチル、及びペンタフルオロエチルからなる群から選択され；
Ｒ2 がヒドリドであり；
Ｒ3 がヒドリドであり；
Ｙが、メチレン及びエチレンからなる群から選択され；
Ｚが、共有単結合及びメチレンからなる群から選択され；
Ｒ4 、Ｒ8 、Ｒ9 、及びＲ13が、ヒドリド及びフルオロからなる群から独立に選択され；
Ｒ5 及びＲ10が、４−アミノフェノキシ、ベンゾイル、ベンジル、ベンジルオキシ、５−ブロモ−２−フルオロフェノキシ、４−ブロモ−３−フルオロフェノキシ、４−ブロモ−２−ニトロフェノキシ、３−ブロモベンジルオキシ、４−ブロモベンジルオキシ、４−ブロモフェノキシ、５−ブロモ−２−ピリジルオキシ、４−ブトキシフェノキシ、クロロ、３−クロロベンジル、２−クロロフェノキシ、４−クロロフェノキシ、４−クロロ−３−エチルフェノキシ、３−クロロ−４−フルオロベンジル、３−クロロ−４−フルオロフェニル、３−クロロ−２−フルオロベンジルオキシ、３−クロロベンジルオキシ、４−クロロベンジルオキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、２−シアノ−３−ピリジルオキシ、４−シアノフェノキシ、シクロブトキシ、シクロブチル、シクロヘキソキシ、シクロヘキシルメトキシ、シクロペントキシ、シクロペンチル、シクロペンチルカルボニル、シクロプロピル、シクロプロピルメトキシ、シクロプロポキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、２，４−ジフルオロベンジルオキシ、３，４−ジフルオロベンジルオキシ、２，５−ジフルオロベンジルオキシ、３，５−ジフルオロフェノキシ、３，４−ジフルオロフェニル、３，５−ジフルオロベンジルオキシ、４−ジフルオロメトキシベンジルオキシ、２，３−ジフルオロフェノキシ、２，４−ジフルオロフェノキシ、２，５−ジフルオロフェノキシ、３，５−ジメトキシフェノキシ、３−ジメチルアミノフェノキシ、３，５−ジメチルフェノキシ、３，４−ジメチルフェノキシ、３，４−ジメチルベンジル、３，４−ジメチルベンジルオキシ、３，５−ジメチルベンジルオキシ、２，２−ジメチルプロポキシ、１，３−ジオキサン−２−イル、１，４−ジオキサン−２−イル、１，３−ジオキサン−２−イル、エトキシ、４−エトキシフェノキシ、４−エチルベンジルオキシ、３−エチルフェノキシ、４−エチルアミノフェノキシ、３−エチル−５−メチルフェノキシ、フルオロ、４−フルオロ−３−メチルベンジル、４−フルオロ−３−メチルフェニル、４−フルオロ−３−メチルベンゾイル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、４−フルオロ−２−トリフルオロメチルベンジルオキシ、４−フルオロ−３−トリフルオロメチルベンジルオキシ、２−フルオロフェノキシ、４−フルオロフェノキシ、２−フルオロ−３−トリフルオロメチル��ェノキシ、２−フルオロベンジルオキシ、４−フルオロフェニルアミノ、２−フルオロ−４−トリフルオロメチルフェノキシ、４−フルオロ−２−ピリジルオキシ、２−フリル、３−フリル、ヘプタフルオロプロピル、１，１，１，３，３，３−ヘプタフルオロプロピル、２−ヒドロキシ−３，３，３−トリフルオロプロポキシ、３−ヨードベンジルオキシ、イソブチル、イソブチルアミノ、イソブトキシ、３−イソキサゾリル、４−イソキサゾリル、５−イソキサゾリル、イソプロポキシ、イソプロピル、４−イソプロピルベンジルオキシ、３−イソプロピルフェノキシ、４−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシカルボニルブトキシ、３−メトキシカルボニル−２−プロペニルオキシ、４−メトキシフェニル、３−メトキシフェニルアミノ、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニトロフェニル、４−ニトロフェニルチオ、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、フェニルスルホニル、４−プロパノイルフェノキシ、プロポキシ、４−プロピルフェノキシ、４−プロポキシフェノキシ、チオフェン−３−イル、sec-ブチル、４−sec-ブチルフェノキシ、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，３，５−トリフルオロベンジルオキシ、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、３−トリフルオロメトキシフェノキシ、４−トリフルオロメトキシフェノキシ、トリフルオロメチル、３−トリフルオロメチルベンジルオキシ、４−トリフルオロメチルベンジルオキシ、２，４−ビス−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、３−トリフルオロメチルチオベンジルオキシ、４−トリフルオロメチルチオベンジルオキシ、２，３，４−トリフルオロフェノキシ、２，３，４−トリフルオロフェニル、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、トリフルオロメチル、及びトリフルオロメトキシからなる群から独立に選択され；
Ｒ7 及びＲ12が、ヒドリド、フルオロ、及びトリフルオロメチルからなる群から独立に選択される
化合物又は薬学的に許容できるその塩。
【請求項２５】  請求項２４の化合物であって、
ｎが１の整数であり；
Ｒ1 が、トリフルオロメチル、ジフルオロメチル、クロロジフルオロメチル、及びペンタフルオロエチルからなる群から選択され；
Ｒ16がヒドリドであり；
Ｒ2 がヒドリドであり；
Ｒ3 がヒドリドであり；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 及びＲ10が、ベンジルオキシ、５−ブロモ−２−フルオロフェノキシ、４−ブロモ−３−フルオロフェノキシ、３−ブロモベンジルオキシ、４−ブロモフェノキシ、４−ブトキシフェノキシ、３−クロロベンジルオキシ、２−クロロフェノキシ、４−クロロ−３−エチルフェノキシ、４−クロロ−３−メチルフェノキシ、２−クロロ−４−フルオロフェノキシ、４−クロロ−２−フルオロフェノキシ、４−クロロフェノキシ、３−クロロ−４−エチルフェノキシ、３−クロロ−４−メチルフェノキシ、３−クロロ−４−フルオロフェノキシ、４−クロロ−３−フルオロフェノキシ、４−クロロフェニルアミノ、５−クロロ−３−ピリジルオキシ、シクロブトキシ、シクロブチル、シクロヘキシルメトキシ、シクロペントキシ、シクロペンチル、シクロペンチルカルボニル、シクロプロピルメトキシ、２，３−ジクロロフェノキシ、２，４−ジクロロフェノキシ、２，４−ジクロロフェニル、３，５−ジクロロフェニル、３，５−ジクロロベンジル、３，４−ジクロロフェノキシ、３，４−ジフルオロフェノキシ、２，３−ジフルオロベンジルオキシ、３，５−ジフルオロベンジルオキシ、ジフルオロメトキシ、３，５−ジフルオロフェノキシ、３，４−ジフルオロフェニル、２，３−ジフルオロフェノキシ、２，４−ジフルオロフェノキシ、２，５−ジフルオロフェノキシ、３，５−ジメトキシフェノキシ、３−ジメチルアミノフェノキシ、３，４−ジメチルベンジルオキシ、３，５−ジメチルベンジルオキシ、３，５−ジメチルフェノキシ、３，４−ジメチルフェノキシ、１，３−ジオキサン−２−イル、３−エチルベンジルオキシ、３−エチルフェノキシ、４−エチルアミノフェノキシ、３−エチル−５−メチルフェノキシ、４−フルオロ−３−メチルベンジル、４−フルオロベンジルオキシ、２−フルオロ−３−メチルフェノキシ、３−フルオロ−４−メチルフェノキシ、３−フルオロフェノキシ、３−フルオロ−２−ニトロフェノキシ、２−フルオロ−３−トリフルオロメチルベンジルオキシ、３−フルオロ−５−トリフルオロメチルベンジルオキシ、２−フルオロフェノキシ、４−フルオロフェノキシ、２−フルオロ−３−トリフルオロメチルフェノキシ、２−フルオロベンジルオキシ、４−フルオロフェニルアミノ、２−フルオロ−４−トリフルオロメチルフェノキシ、２−フリル、３−フリル、ヘプタフルオロプロピル、１，１，１，３，３，３−ヘプタフルオロプロピル、２−ヒドロキシ−３，３，３−トリフルオロプロポキシ、イソブトキシ、イソブチル、３−イソキサゾリル、４−イソキサゾリル、５−イソキサゾリル、イソプロポキシ、３−イソプロピルベンジルオキシ、３−イソプロピルフェノキシ、イソプロピルチオ、４−イソプロピル−３−メチルフェノキシ、３−イソチアゾリル、４−イソチアゾリル、５−イソチアゾリル、３−メトキシベンジル、４−メトキシフェニルアミノ、３−メチルベンジルオキシ、４−メチルベンジルオキシ、３−メチルフェノキシ、３−メチル−４−メチルチオフェノキシ、４−メチルフェノキシ、１−メチルプロポキシ、２−メチル−５−ピリジルオキシ、４−メチルチオフェノキシ、２−ナフチルオキシ、２−ニトロフェノキシ、４−ニトロフェノキシ、３−ニ��ロフェニル、２−オキサゾリル、４−オキサゾリル、５−オキサゾリル、ペンタフルオロエチル、ペンタフルオロエチルチオ、２，２，３，３，３−ペンタフルオロプロピル、１，１，３，３，３−ペンタフルオロプロピル、１，１，２，２，３−ペンタフルオロプロピル、フェノキシ、フェニルアミノ、１−フェニルエトキシ、４−プロピルフェノキシ、４−プロポキシフェノキシ、チオフェン−３−イル、tert−ブトキシ、３−tert−ブチルフェノキシ、４−tert−ブチルフェノキシ、１，１，２，２−テトラフルオロエトキシ、テトラヒドロフラン−２−イル、２−（５，６，７，８−テトラヒドロナフチルオキシ）、チアゾール−２−イル、チアゾール−４−イル、チアゾール−５−イル、チオフェン−２−イル、２，２，２−トリフルオロエトキシ、２，２，２−トリフルオロエチル、３，３，３−トリフルオロ−２−ヒドロキシプロピル、トリフルオロメトキシ、３−トリフルオロメトキシベンジルオキシ、４−トリフルオロメトキシベンジルオキシ、４−トリフルオロメトキシフェノキシ、３−トリフルオロメトキシフェノキシ、トリフルオロメチル、３−トリフルオロメチルベンジルオキシ、１，１−ビス−トリフルオロメチル−１−ヒドロキシメチル、３−トリフルオロメチルベンジル、３，５−ビス−トリフルオロメチルベンジルオキシ、４−トリフルオロメチルフェノキシ、３−トリフルオロメチルフェノキシ、３−トリフルオロメチルフェニル、２，３，４−トリフルオロフェノキシ、２，３，５−トリフルオロフェノキシ、３，４，５−トリメチルフェノキシ、３−ジフルオロメトキシフェノキシ、３−ペンタフルオロエチルフェノキシ、３−（１，１，２，２−テトラフルオロエトキシ）フェノキシ、３−トリフルオロメチルチオフェノキシ、３−トリフルオロメチルチオベンジルオキシ、及びトリフルオロメチルチオからなる群から独立に選択され；
Ｒ6 及びＲ11が、クロロ、フルオロ、ヒドリド、ペンタフルオロエチル、１，１，２，２−テトラフルオロエトキシ、及びトリフルオロメチルからなる群から独立に選択され；
Ｒ7 及びＲ12が、ヒドリド、フルオロ、及びトリフルオロメチルからなる群から独立に選択される
化合物又は薬学的に許容できるその塩。
【請求項２６】  請求項２３の化合物であって、
ｎが１の整数であり；
Ｒ16がヒドリドであり；
Ｒ1 がハロアルキルであり；
Ｒ2 がヒドリドであり；
Ｒ3 がヒドリドであり；
Ｙがメチレンであり；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12は、ペルハロアリールオキシ、Ｎ−アリール−Ｎ−アルキルアミノ、ヘテロシクリルアルコキシ、ヘテロシクリルチオ、ヒドロキシアルコキシ、アラルカノイルアルコキシ、アラルケノイル、シクロアルキルカルボニル、シアノアルコキシ、ヘテロシクリルカルボニル、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、及びヘテロアリールオキシアルキルからなる群から独立に選択される
化合物又は薬学的に許容できるその塩。
【請求項２７】  請求項２６の化合物であって、
ｎが１の整数であり；
Ｒ16がヒドリドであり；
Ｒ1 がハロアルキルであり；
Ｒ2 がヒドリドであり；
Ｒ3 がヒドリドであり；
Ｙがメチレンであり；
Ｚが共有単結合であり；
Ｒ4 、Ｒ8 、Ｒ9 、及びＲ13が、ヒドリド及びハロからなる群から独立に選択され；
Ｒ5 が、ペルハロアリールオキシ、Ｎ−アリール−Ｎ−アルキルアミノ、ヘテロシクリルアルコキシ、ヘテロシクリルチオ、ヒドロキシアルコキシ、アラルカノイルアルコキシ、アラルケノイル、シクロアルキルカルボニル、シアノアルコキシ、ヘテロシクリルカルボニル、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、及びヘテロアリールオキシアルキルからなる群から選択され；
Ｒ10が、ハロアルキル、ハロアルコキシ、アリール、アルキルチオ、アルコキシ、アラルキル、アルキル、シクロアルコキシ、シクロアルキルアルコキシ、ヘテロアリール、シクロアルキル、ハロアルキルチオ、及びヒドロキシハロアルキルからなる群から選択され；
Ｒ6 及びＲ11が、ヒドリド及びハロからなる群から独立に選択され；
Ｒ7 及びＲ12が、ヒドリド及びハロからなる群から独立に選択される
化合物又は薬学的に許容できるその塩。
【請求項２８】  請求項２７の化合物であって、
ｎが１の整数であり；
Ｒ1 がトリフルオロメチルであり；
Ｒ16がヒドリドであり；
Ｒ2 がヒドリドであり；
Ｒ3 がヒドリドであり；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、シクロペンチル、１，１，２，２−テトラフルオロエトキシ、２−フリル、１，１−ビス−トリフルオロメチル−１−ヒドロキシメチル、ペンタフルオロエチル、トリフルオロメトキシ、トリフルオロメチル、及びトリフルオロメチルチオからなる群から独立に選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項２９】  請求項２８の化合物であって、
ｎが１の整数であり；
Ｒ1 がトリフルオロメチルであり；
Ｒ16がヒドリドであり；
Ｒ2 がヒドリドであり；
Ｒ3 がヒドリドであり；
Ｙがメチレンであり；
Ｚが共有単結合であり；
Ｒ4 、Ｒ8 、Ｒ9 、及びＲ13が、ヒドリド及びフルオロからなる群から独立に選択され；
Ｒ5 が、５−ブロモ−２−フルオロフェノキシ、４−クロロ−３−エチルフェノキシ、２，３−ジクロロフェノキシ、３，４−ジクロロフェノキシ、３−ジフルオロメトキシフェノキシ、３，５−ジメチルフェノキシ、３，４−ジメチルフェノキシ、３−エチルフェノキシ、３−エチル−５−メチルフェノキシ、４−フルオロ−３−メチルフェノキシ、４−フルオロフェノキシ、３−イソプロピルフェノキシ、３−メチルフェノキシ、３−ペンタフルオロエチルフェノキシ、３−tert−ブチルフェノキシ、３−（１，１，２，２−テトラフルオロエトキシ）フェノキシ、２−（５，６，７，８−テトラヒドロナフチルオキシ）、３−トリフルオロメトキシベンジルオキシ、３−トリフルオロメトキシフェノキシ、３−トリフルオロメチルベンジルオキシ、及び３−トリフルオロメチルチオフェノキシからなる群から選択され；
Ｒ10が、１，１，２，２−テトラフルオロエトキシ、ペンタフルオロエチル、及びトリフルオロメチルからなる群から独立に選択され；
Ｒ6 及びＲ11が、フルオロ及びヒドリドからなる群から独立に選択され；
Ｒ7 及びＲ12が、ヒドリド及びフルオロからなる群から独立に選択される
化合物又は薬学的に許容できるその塩。
【請求項３０】  請求項２３の化合物であって、；
（２Ｒ）−３−〔〔３−（３−トリフルオロメトキシフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−イソプロピルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−シクロプロピルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−（２−フリル）フェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（２，３−ジクロロフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（４−フルオロフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（４−メチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（２−フルオロ−５−ブロモフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（４−クロロ−３−エチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−〔３−（１，１，２，２−テトラフルオロエトキシ）フェノキシ〕フェニル〕〔〔３−（１，１，２，２−テトラフルオロエトキシ）フェニル〕メチル〕アミノ〕−１，１，１−トリフルオロ−２−プロパノール；（２Ｒ）−３−〔〔３−〔３−（ペンタフルオロエチル）フェノキシ〕フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３，５−ジメチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−エチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−ｔ−ブチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−メチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（５，６，７，８−テトラヒドロ−２−ナフトキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（フェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−〔３−（Ｎ，Ｎ−ジメチルアミノ）フェノキシ〕フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔〔３−（１，１，２，２−テトラフルオロエトキシ）フェニル〕メチル〕〔３−〔〔３−（トリフルオロメトキシ）フェニル〕メトキシ〕フェニル〕アミノ〕−１，１，１−トリフルオロ−２−プロパノール；
（２Ｒ）−３−〔〔〔３−（１，１，２，２−テトラフルオロエトキシ）フェニル〕メチル〕〔３−〔〔３−（トリフルオロメチル）フェニル〕メトキシ〕フェニル〕アミノ〕−１，１，１−トリフルオロ−２−プロパノール；
（２Ｒ）−３−〔〔〔３−（１，１，２，２−テトラフルオロエトキシ）フェニル〕メチル〕〔３−〔〔３，５−ジメチルフェニル〕メトキシ〕フェニル〕アミノ〕−１，１，１−トリフルオロ−２−プロパノール；
（２Ｒ）−３−〔〔〔３−（１，１，２，２−テトラフルオロエトキシ）フェニル〕メチル〕〔３−〔〔３−（トリフルオロメチルチオ）フェニル〕メトキシ〕フェニル〕アミノ〕−１，１，１−トリフルオロ−２−プロパノール；
（２Ｒ）−３−〔〔〔３−（１，１，２，２−テトラフルオロエトキシ）フェニル〕メチル〕〔３−〔〔３，５−ジフルオロフェニル〕メトキシ〕フェニル〕アミノ〕−１，１，１−トリフルオロ−２−プロパノール；
３−〔〔〔３−（１，１，２，２−テトラフルオロエトキシ）フェニル〕メチル〕〔３−〔シクロヘキシルメトキシ〕フェニル〕アミノ〕−１，１，１−トリフルオロ−２−プロパノール；
３−〔〔３−（２−ジフルオロメトキシ−４−ピリジルオキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（２−トリフルオロメチル−４−ピリジルオキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−ジフルオロメトキシフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔〔３−（３−トリフルオロメチルチオ）フェノキシ〕フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（４−クロロ−３−トリフルオロメチルフェノキシ）フェニル〕〔〔３−（１，１，２，２−テトラフルオロエトキシ）フェニル〕メチル〕アミノ〕−１，１，１−トリフルオロ−２−プロパノール；
（２Ｒ）−３−〔〔３−（３−トリフルオロメチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−イソプロピルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−シクロプロピルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−（２−フリル）フェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（２，３−ジクロロフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（４−フルオロフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（４−メチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（２−フルオロ−５−ブロモフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（４−クロロ−３−エチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−〔３−（１，１，２，２−テトラフルオロエトキシ）フェノキシ〕フェニル〕〔〔３−（ペンタフルオロエチル）フェニル〕メチル〕アミノ〕−１，１，１−トリフルオロ−２−プロパノール；
（２Ｒ）−３−〔〔３−〔３−（ペンタフルオロエチル）フェノキシ〕フェニル〕〔〔３−（ペンタフルオロエチル）フェニル〕メチル〕アミノ〕−１，１，１−トリフルオロ−２−プロパノール；
（２Ｒ）−３−〔〔３−（３，５−ジメチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−エチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−ｔ−ブチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−メチルフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（５，６，７，８−テトラヒドロ−２−ナフトキシ）フェニル〕〔〔３−（ペンタフルオロエチル）フェニル〕メチル〕アミノ〕−１，１，１−トリフルオロ−２−プロパノール；
（２Ｒ）−３−〔〔３−（フェノキシ）フェニル〕〔〔３−（ペンタフルオロエチル）フェニル〕メチル〕アミノ〕−１，１，１−トリフルオロ−２−プロパノール；
（２Ｒ）−３−〔〔３−〔３−（Ｎ，Ｎ−ジメチルアミノ）フェノキシ〕フェニル〕〔〔３−（ペンタフルオロエチル）フェニル〕メチル〕アミノ〕−１，１，１−トリフルオロ−２−プロパノール；
（２Ｒ）−３−〔〔〔３−（ペンタフルオロエチル）フェニル〕メチル〕〔３−〔〔３−（トリフルオロメトキシ）フェニル〕メトキシ〕フェニル〕アミノ〕−１，１，１−トリフルオロ−２−プロパノール；
（２Ｒ）−３−〔〔〔３−（ペンタフルオロエチル）フェニル〕メチル〕〔３−〔〔３−（トリフルオロメチル）フェニル〕メトキシ〕フェニル〕アミノ〕−１，１，１−トリフルオロ−２−プロパノール；
（２Ｒ）−３−〔〔〔３−（ペンタフルオロエチル）フェニル〕メチル〕〔３−〔〔３，５−ジメチルフェニル〕メトキシ〕フェニル〕アミノ〕−１，１，１−トリフルオロ−２−プロパノール；
（２Ｒ）−３−〔〔〔３−（ペンタフルオロエチル）フェニル〕メチル〕〔３−〔〔３−（トリフルオロメチルチオ）フェニル〕メトキシ〕フェニル〕アミノ〕−１，１，１−トリフルオロ−２−プロパノール；
（２Ｒ）−３−〔〔〔３−（ペンタフルオロエチル）フェニル〕メチル〕〔３−〔〔３，５−ジフルオロフェニル〕メトキシ〕フェニル〕アミノ〕−１，１，１−トリフルオロ−２−プロパノール；
（２Ｒ）−３−〔〔〔３−（ペンタフルオロエチル）フェニル〕メチル〕〔３−〔シクロヘキシルメトキシ〕フェニル〕アミノ〕−１，１，１−トリフルオロ−２−プロパノール；
（２Ｒ）−３−〔〔３−（２−ジフルオロメトキシ−４−ピリジルオキシ）フェニル〕〔〔３−（ペンタフルオロエチル）フェニル〕メチル〕アミノ〕−１，１，１−トリフルオロ−２−プロパノール；
（２Ｒ）−３−〔〔３−（２−トリフルオロメチル−４−ピリジルオキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−ジフルオロメトキシフェノキシ）フェニル〕〔〔３−（ペンタフルオロエチル）フェニル〕メチル〕アミノ〕−１，１，１−トリフルオロ−２−プロパノール；
（２Ｒ）−３−〔〔〔３−（３−トリフルオロメチルチオ）フェノキシ〕フェニル〕〔〔３−（ペンタフルオロエチル）フェニル〕メチル〕アミノ〕−１，１，１−トリフルオロ−２−プロパノール；
（２Ｒ）−３−〔〔３−（４−クロロ−３−トリフルオロメチルフェノキシ〕フェニル〕〔〔３−（ペンタフルオロエチル）フェニル〕メチル〕アミノ〕−１，１，１−トリフルオロ−２−プロパノール；
（２Ｒ）−３−〔〔３−（３−トリフルオロメトキシフェノキシ）フェニル〕〔〔３−（ペンタフルオロエチル）フェニル〕メチル〕アミノ〕−１，１，１−トリフルオロ−２−プロパノール；
（２Ｒ）−３−〔〔３−（３−イソプロピルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−シクロプロピルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−シクロプロピルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−（２−フリル）フェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（２，３−ジクロロフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（４−フルオロフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（４−メチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（２−フルオロ−５−ブロモフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（４−クロロ−３−エチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−〔３−（１，１，２，２−テトラフルオロエトキシ）フェノキシ〕フェニル〕〔〔３−（ヘプタフルオロエチル）フェニル〕メチル〕アミノ〕−１，１，１−トリフルオロ−２−プロパノール；
（２Ｒ）−３−〔〔３−〔３−（ペンタフルオロエチル）フェノキシ〕フェニル〕〔〔３−（ヘプタフルオロエチル）フェニル〕メチル〕アミノ〕−１，１，１−トリフルオロ−２−プロパノール；
（２Ｒ）−３−〔〔３−（３，５−ジメチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−エチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−ｔ−ブチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（３−メチルフェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−（５，６，７，８−テトラヒドロ−２−ナフトキシ）フェニル〕〔〔３−（ヘプタフルオロエチル）フェニル〕メチル〕アミノ〕−１，１，１−トリフルオロ−２−プロパノール；
（２Ｒ）−３−〔〔３−（フェノキシ）フェニル〕〔〔３−（ヘプタフルオロエチル）フェニル〕メチル〕アミノ〕−１，１，１−トリフルオロ−２−プロパノール；
（２Ｒ）−３−〔〔３−〔３−（Ｎ，Ｎ−ジメチルアミノ）フェノキシ〕フェニル〕〔〔３−（ヘプタフルオロエチル）フェニル〕メチル〕アミノ〕−１，１，１−トリフルオロ−２−プロパノール；
（２Ｒ）−３−〔〔〔３−（ヘプタフルオロプロピル）フェニル〕メチル〕〔３−〔〔３−（トリフルオロメトキシ）フェニル〕メトキシ〕フェニル〕アミノ〕−１，１，１−トリフルオロ−２−プロパノール；
（２Ｒ）−３−〔〔〔３−（ヘプタフルオロプロピル）フェニル〕メチル〕〔３−〔〔３−（トリフルオロメチル）フェニル〕メトキシ〕フェニル〕アミノ〕−１，１，１−トリフルオロ−２−プロパノール；
（２Ｒ）−３−〔〔〔３−（ヘプタフルオロプロピル）フェニル〕メチル〕〔３−〔〔３，５−ジメチルフェニル〕メトキシ〕フェニル〕アミノ〕−１，１，１−トリフルオロ−２−プロパノール；
（２Ｒ）−３−〔〔〔３−（ヘプタフルオロプロピル）フェニル〕メチル〕〔３−〔〔３−（トリフルオロメチルチオ）フェニル〕メトキシ〕フェニル〕アミノ〕−１，１，１−トリフルオロ−２−プロパノール；
（２Ｒ）−３−〔〔〔３−（ヘプタフルオロプロピル）フェニル〕メチル〕〔３−〔〔３，５−ジフルオロフェニル〕メトキシ〕フェニル〕アミノ〕−１，１，１−トリフルオロ−２−プロパノール；
（２Ｒ）−３−〔〔〔３−（ヘプタフルオロプロピル）フェニル〕メチル〕〔３−〔シクロヘキシルメトキシ〕フェニル〕アミノ〕−１，１，１−トリフルオロ−２−プロパノール；
（２Ｒ）−３−〔〔３−（２−ジフルオロメトキシ−４−ピリジルオキシ）フェニル〕〔〔３−（ヘプタフルオロプロピル）フェニル〕メチル〕アミノ〕−１，１，１−トリフルオロ−２−プロパノール；
（２Ｒ）−３−〔〔３−（３−ジフルオロメトキシフェノキシ）フェニル〕〔〔３−（ヘプタフルオロプロピル）フェニル〕メチル〕アミノ〕−１，１，１−トリフルオロ−２−プロパノール；
（２Ｒ）−３−〔〔〔３−（３−トリフルオロメチルチオ）フェノキシ〕フェニル〕〔〔３−（ヘプタフルオロプロピル）フェニル〕メチル〕アミノ〕−１，１，１−トリフルオロ−２−プロパノール；
（２Ｒ）−３−〔〔３−（４−クロロ−３−トリフルオロメチルフェノキシ）フェニル〕〔〔３−（ヘプタフルオロプロピル）フェニル〕メチル〕アミノ〕−１，１，１−トリフルオロ−２−プロパノール；
（２Ｒ）−３−〔〔３−（３−トリフルオロメトキシフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−イソプロピルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−シクロプロピルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−（２−フリル）フェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（２，３−ジクロロフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（４−フルオロフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（４−メチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（２−フルオロ−５−ブロモフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（４−クロロ−３−エチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−〔３−（１，１，２，２−テトラフルオロエトキシ）フェノキシ〕フェニル〕〔〔２−フルオロ−５−（トリフルオロメチル）フェニル〕メチル〕アミノ〕−１，１，１−トリフルオロ−２−プロパノール；
（２Ｒ）−３−〔〔３−〔３−（ペンタフルオロエチル）フェノキシ〕フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３，５−ジメチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−エチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−ｔ−ブチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−メチルフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（５，６，７，８−テトラヒドロ−２−ナフトキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（フェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−〔３−（Ｎ，Ｎ−ジメチルアミノ）フェノキシ〕フェニル〕〔〔２−フルオロ−５−（トリフルオロメチル）フェニル〕メチル〕アミノ〕−１，１，１−トリフルオロ−２−プロパノール；
（２Ｒ）−３−〔〔〔２−フルオロ−５−（トリフルオロメチル）フェニル〕メチル〕〔３−〔〔３−（トリフルオロメトキシ）フェニル〕メトキシ〕フェニル〕アミノ〕−１，１，１−トリフルオロ−２−プロパノール；
（２Ｒ）−３−〔〔〔２−フルオロ−５−（トリフルオロメチル）フェニル〕メチル〕〔３−〔〔３−（トリフルオロメチル）フェニル〕メトキシ〕フェニル〕アミノ〕−１，１，１−トリフルオロ−２−プロパノール；
（２Ｒ）−３−〔〔〔２−フルオロ−５−（トリフルオロメチル）フェニル〕メチル〕〔３−〔〔３，５−ジメチルフェニル〕メトキシ〕フェニル〕アミノ〕−１，１，１−トリフルオロ−２−プロパノール；
（２Ｒ）−３−〔〔〔２−フルオロ−５−（トリフルオロメチル）フェニル〕メチル〕〔３−〔〔３−（トリフルオロメチルチオ）フェニル〕メトキシ〕フェニル〕アミノ〕−１，１，１−トリフルオロ−２−プロパノール；
（２Ｒ）−３−〔〔〔２−フルオロ−５−（トリフルオロメチル）フェニル〕メチル〕〔３−〔〔３，５−ジフルオロフェニル〕メトキシ〕フェニル〕アミノ〕−１，１，１−トリフルオロ−２−プロパノール；
（２Ｒ）−３−〔〔〔２−フルオロ−５−（トリフルオロメチル）フェニル〕メチル〕〔３−〔シクロヘキシルメトキシ〕フェニル〕アミノ〕−１，１，１−トリフルオロ−２−プロパノール；
（２Ｒ）−３−〔〔３−（２−ジフルオロメトキシ−４−ピリジルオキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（２−トリフルオロメチル−４−ピリジルオキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔３−（３−ジフルオロメトキシフェノキシ）フェニル〕〔〔２−フルオロ−５−（トリフルオロメチル）フェニル〕メチル〕アミノ〕−１，１，１−トリフルオロ−２−プロパノール；
（２Ｒ）−３−〔〔〔３−（３−トリフルオロメチルチオ）フェノキシ〕フェニル〕〔２−フルオロ−５−（トリフルオロメチル）フェニル〕メチル〕アミノ〕−１，１，１−トリフルオロ−２−プロパノール；
（２Ｒ）−３−〔〔３−（４−クロロ−３−トリフルオロメチルフェノキシ）フェニル〕〔２−フルオロ−５−（トリフルオロメチル）フェニル〕メチル〕アミノ〕−１，１，１−トリフルオロ−２−プロパノール；
（２Ｒ）−３−〔〔３−（３−トリフルオロメトキシフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−イソプロピルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−シクロプロピルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−（２−フリル）フェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（２，３−ジクロロフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（４−フルオロフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（４−メチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（２−フルオロ−５−ブロモフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（４−クロロ−３−エチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−〔３−（１，１，２，２−テトラフルオロエトキシ）フェノキシ〕フェニル〕〔２−フルオロ−４−（トリフルオロメチル）フェニル〕メチル〕アミノ〕−１，１，１−トリフルオロ−２−プロパノール；
（２Ｒ）−３−〔〔３−〔３−（ペンタフルオロエチル）フェノキシ〕フェニル〕〔２−フルオロ−４−（トリフルオロメチル）フェニル〕メチル〕アミノ〕−１，１，１−トリフルオロ−２−プロパノール；
（２Ｒ）−３−〔〔３−（３，５−ジメチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−エチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−ｔ−ブチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−メチルフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（５，６，７，８−テトラヒドロ−２−ナフトキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（フェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−〔３−（Ｎ，Ｎ−ジメチルアミノ）フェノキシ〕フェニル〕〔２−フルオロ−４−（トリフルオロメチル）フェニル〕メチル〕アミノ〕−１，１，１−トリフルオロ−２−プロパノール；
（２Ｒ）−３−〔〔〔２−フルオロ−４−（トリフルオロメチル）フェニル〕メチル〕〔３−〔〔３−（トリフルオロメトキシ）フェニル〕メトキシ〕フェニル〕アミノ〕−１，１，１−トリフルオロ−２−プロパノール；
（２Ｒ）−３−〔〔〔２−フルオロ−４−（トリフルオロメチル）フェニル〕メチル〕〔３−〔〔３，５−ジメチルフェニル〕メトキシ〕フェニル〕アミノ〕−１，１，１−トリフルオロ−２−プロパノール；
（２Ｒ）−３−〔〔〔２−フルオロ−４−（トリフルオロメチル）フェニル〕メチル〕〔３−〔〔３−（トリフルオロメチルチオ）フェニル〕メトキシ〕フェニル〕アミノ〕−１，１，１−トリフルオロ−２−プロパノール；
（２Ｒ）−３−〔〔〔２−フルオロ−４−（トリフルオロメチル）フェニル〕メチル〕〔３−〔〔３，５−ジフルオロフェニル〕メトキシ〕フェニル〕アミノ〕−１，１，１−トリフルオロ−２−プロパノール；
（２Ｒ）−３−〔〔〔２−フルオロ−４−（トリフルオロメチル）フェニル〕メチル〕〔３−〔シクロヘキシルメトキシ〕フェニル〕アミノ〕−１，１，１−トリフルオロ−２−プロパノール；
（２Ｒ）−３−〔〔３−（２−ジフルオロメトキシ−４−ピリジルオキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（２−トリフルオロメチル−４−ピリジルオキシ）フェニル〕〔２−フルオロ−４−（トリフルオロメチル）フェニル〕メチル〕アミノ〕−１，１，１−トリフルオロ−２−プロパノール；
（２Ｒ）−３−〔〔３−（３−ジフルオロメトキシフェノキシ）フェニル〕〔２−フルオロ−４−（トリフルオロメチル）フェニル〕メチル〕アミノ〕−１，１，１−トリフルオロ−２−プロパノール；
（２Ｒ）−３−〔〔〔３−（３−トリフルオロメチルチオ）フェノキシ〕フェニル〕〔２−フルオロ−４−（トリフルオロメチル）フェニル〕メチル〕アミノ〕−１，１，１−トリフルオロ−２−プロパノール；
（２Ｒ）−３−〔〔３−（４−クロロ−３−トリフルオロメチルフェノキシ）フェニル〕〔２−フルオロ−４−（トリフルオロメチル）フェニル〕メチル〕アミノ〕−１，１，１−トリフルオロ−２−プロパノール
からなる群から独立に選択される化合物又は薬学的に許容できるその塩。
【請求項３１】  請求項１〜３０のいずれか１項に記載の化合物を薬学的に許容できるキャリアと一緒に含んでなる医薬組成物。
【請求項３２】  請求項３１の医薬組成物であって、冠状動脈疾患又は他のＣＥＴＰ媒介障害を治療するための組成物。
【請求項３３】  請求項３１の医薬組成物であって、冠状動脈疾患又は他のＣＥＴＰ媒介障害を予防するための組成物。
【請求項３４】  請求項３１の医薬組成物であって、脳血管偶発症候（ＣＶＡ）を予防するための組成物。
【請求項３５】  請求項３１の医薬組成物であって、異脂肪血症 (dyslipidemia) を予防又は治療するための組成物。
【請求項３６】  請求項１又は２に記載の式（IV）：
【化２５】
2002525351.tif 000025
を有する化合物又は薬学的に許容できるその塩の製造方法であって、
式（Ｖ）：
【化２６】
2002525351.tif 000026
のアミンを式（ＸＸ−Ｒ）：
【化２７】
2002525351.tif 000027
のエポキシドと反応させること含んでなる方法であり、
式中、
Ｒ1 は、ハロアルキル及びハロアルコキシメチルからなる群から選択され；
Ｒ2 は、ヒドリド、アリール、アルキル、アルケニル、ハロアルキル、ハロアルコキシ、ハロアルコキシアルキル、ペルハロアリール、ペルハロアラルキル、ペルハロアリールオキシアルキル、及びヘテロアリールからなる群から選択され；
Ｒ3 は、ヒドリド、アリール、アルキル、アルケニル、ハロアルキル、及びハロアルコキシアルキルからなる群から選択され；
Ｄ及びＥは、ヒドリド、Ａ、及びＱからなる群から独立に選択され、但し、Ｄ及びＥは、同時にヒドリドであることはなく、そして、Ａ及びＱは、Ｅ及びＤの一方がヒドリドであるか又はＹ及びＺの両方が共有単結合であるときは、フェニル、３−メチルフェニル、３−エチルフェニル、２−メトキシ−５−メチルフェニル、２−クロロフェニル、３−クロロフェニル、及び３−ブロモフェニルとは異なるものから独立に選択され；
Ａは、式：
【化２８】
2002525351.tif 000028
であり；
Ｑは、式：
【化２９】
2002525351.tif 000029
であり；
Ｄ1 、Ｄ2 、Ｊ1 、Ｊ2 及びＫ1 は、Ｃ、Ｎ、Ｏ、Ｓ及び共有結合からなる群から独立に選択され、但し、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮであり；
Ｄ3 、Ｄ4 、Ｊ3 、Ｊ4 及びＫ2 は、Ｃ、Ｎ、Ｏ、Ｓ及び共有結合からなる群から独立に選択され、但し、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮであり；
Ｙは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｚは、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｒ4 、Ｒ8 、Ｒ9 、及びＲ13は、ヒドリド、ハロ、ハロアルキル、及びアルキルからなる群から独立に選択され；
Ｒ5 、Ｒ6 、Ｒ7 、Ｒ10、Ｒ11、及びＲ12は、ヒドリド、カルボキシ、ヘテロアラルキルチオ、ヘテロアラルコキシ、シクロアルキルアミノ、アシルアルキル、アシルアルコキシ、アロイルアルコキシ、ヘテロシクリルオキシ、アラルキルアリール、アラルキル、アラルケニル、アラルキニル、ヘテロシクリル、ペルハロアラルキル、アラルキルスルホニル、アラルキルスルホニルアルキル、アラルキルスルフィニル、アラルキルスルフィニルアルキル、ハロシクロアルキル、ハロシクロアルケニル、シクロアルキルスルフィニル、シクロアルキルスルフィニルアルキル、シクロアルキルスルホニル、シクロアルキルスルホニルアルキル、ヘテロアリールアミノ、Ｎ−ヘテロアリールアミノ−Ｎ−アルキルアミノ、ヘテロアリールアミノアルキル、ハロアルキルチオ、アルカノイルオキシ、アルコキシ、アルコキシアルキル、ハロアルコキシアルキル、ヘテロアラルコキシ、シクロアルコキシ、シクロアルケニルオキシ、シクロアルコキシアルキル、シクロアルキルアルコキシ、シクロアルケニルオキシアルキル、シクロアルキレンジオキシ、ハロシクロアルコキシ、ハロシクロアルコキシアルキル、ハロシクロアルケニルオキシ、ハロシクロアルケニルオキシアルキル、ヒドロキシ、アミノ、チオ、ニトロ、低級アルキルアミノ、アルキルチオ、アルキルチオアルキル、アリールアミノ、アラルキルアミノ、アリールチオ、アリールチオアルキル、ヘテロアラルコキシアルキル、アルキルスルフィニル、アルキルスルフィニルアルキル、アリールスルフィニルアルキル、アリールスルホニルアルキル、ヘテロアリールスルフィニルアルキル、ヘテロアリールスルホニルアルキル、アルキルスルホニル、アルキルスルホニルアルキル、ハロアルキルスルフィニルアルキル、ハロアルキルスルホニルアルキル、アルキルスルホンアミド、アルキルアミノスルホニル、アミドスルホニル、モノアルキルアミドスルホニル、ジアルキルアミドスルホニル、モノアリールアミドスルホニル、アリールスルホンアミド、ジアリールアミドスルホニル、モノアルキルモノアリールアミドスルホニル、アリールスルフィニル、アリールスルホニル、ヘテロアリールチオ、ヘテロアリールスルフィニル、ヘテロアリールスルホニル、ヘテロシクリルスルホニル、ヘテロシクリルチオ、アルカノイル、アルケノイル、アロイル、ヘテロアロイル、アラルカノイル、ヘテロアラルカノイル、ハロアルカノイル、アルキル、アルケニル、アルキニル、アルケニルオキシ、アルケニルオキシアルキル、アルキレンジオキシ、ハロアルキレンジオキシ、シクロアルキル、シクロアルキルアルカノイル、シクロアルケニル、低級シクロアルキルアルキル、低級シクロアルケニルアルキル、ハロ、ハロアルキル、ハロアルケニル、ハロアルコキシ、ヒドロキシハロアルキル、ヒドロキシアラルキル、ヒドロキシアルキル、ヒドロキシヘテロアラルキル、ハロアルコキシアルキル、アリール、ヘテロアラルキニル、アリールオキシ、アラルコキシ、アリールオキシアルキル、飽和ヘテロシクリル、部分飽和ヘテロシクリル、ヘテロアリール、ヘテロアリールオキシ、ヘテロアリールオキシアルキル、ヘテロアラルキル、アリールアルケニル、ヘテロアリールアルケニル、カルボキシアルキル、カルボアルコキシ、アルコキシカルボキサミド、アルキルアミドカルボニルアミド、アリールアミドカルボニルアミド、カルボアルコキシアルキル、カルボアルコキシアルケニル、カルボアラルコキシ、カルボキサミド、カルボキサミドアルキル、シアノ、カルボハロアルコキシ、ホスホノ、ホスホノアルキル、ジアラルコキシホスホノ、及びジアラルコキシホスホノアルキルからなる群から独立に選択され；
Ｒ4 とＲ5 、Ｒ5 とＲ6 、Ｒ6 とＲ7 、Ｒ7 とＲ8 、Ｒ9 とＲ10、Ｒ10とＲ11、Ｒ11とＲ12、及びＲ12とＲ13は、スペーサー対を形成するように独立に選択され、その際、スペーサー対は、一緒になって、前記スペーサー対メンバーの結合点を繋ぐ３〜６の連続原子を有する線状部分を形成して、５〜８の連続メンバーを有するシクロアルケニル環、５〜８の連続メンバーを有する部分飽和ヘテロシクリル環、５〜６の連続メンバーを有するヘテロアリール環、及びアリールからなる群から選択される環を形成し、但し、スペーサー対であるＲ4 とＲ5 、Ｒ5 とＲ6 、Ｒ6 とＲ7 、及びＲ7 とＲ8 からなる群の１つ以下が同時に使用され、そして、スペーサー対であるＲ9 とＲ10、Ｒ10とＲ11、Ｒ11とＲ12、及びＲ12とＲ13からなる群の１つ以下が同時に使用される。
【請求項３７】  反応が０〜１００℃の温度で行われる、請求項３６記載の方法。
【請求項３８】  反応が１５〜６５℃の温度で行われる、請求項３７記載の方法。
【請求項３９】  テトラヒドロフラン、ジオキサン、塩化メチレン、及びアセトニトリルからなる群から選択される溶媒の使用を更に含んでなる、請求項３６記載の方法。
【請求項４０】  イットリウム、ハフニウム、スカンジウム、ネオジム、ガドリウム、及びジルコニウム塩からなる群から選択される遷移金属塩触媒の使用を更に含んでなる、請求項３６記載の方法。
【請求項４１】  遷移金属塩が、イットリウムトリフラート、ハフニウムトリフラート、スカンジウムトリフラート、ネオジムトリフラート、ガドリウムトリフラート、及びジルコニウムトリフラートからなる群から選択される、請求項４０記載の方法。
【請求項４２】  ＸＸ−Ｒが、２−トリフルオロメチルオキシラン、２−ペンタフルオロエチルオキシラン、２−（１，１，２，２−テトラフルオロエトキシ）オキシラン、２−（ジフルオロクロロメチル）オキシラン、及び２−（トリフルオロメトキシメチル）オキシランからなる群から選択される、請求項４１記載の方法。
【請求項４３】  オキシランが、Ｒ1 及びＲ2 置換された炭素において（Ｒ）−キラル配置を有する、請求項３６記載の方法。
【請求項４４】  請求項３６記載の方法であって、
Ｄ1 、Ｄ2 、Ｊ1 、Ｊ2 及びＫ1 がそれぞれ炭素であり；
Ｄ3 、Ｄ4 、Ｊ3 、Ｊ4 及びＫ2 が、Ｃ、Ｎ、Ｏ、Ｓ及び共有結合からなる群から独立に選択され、但し、Ｄ3 、Ｄ4 、Ｊ3 、Ｊ4 及びＫ2 の少なくとも１つが、Ｏ、Ｓ及びＮからなる群から選択され、その際、Ｄ3 、Ｄ4 、Ｊ3 、Ｊ4 及びＫ2 の１つ以下が共有結合であり；Ｄ3 、Ｄ4 、Ｊ3 、Ｊ4 及びＫ2 の１つ以下がＯであり；Ｄ3 、Ｄ4 、Ｊ3 、Ｊ4 及びＫ2 の１つ以下がＳであり；Ｄ3 、Ｄ4 、Ｊ3 、Ｊ4 及びＫ2 の２つがＯ及びＳであるときは、Ｄ3 、Ｄ4 、Ｊ3 、Ｊ4 及びＫ2 の１つは共有結合でなければならず；そして、Ｄ3 、Ｄ4 、Ｊ3 、Ｊ4 及びＫ2 の４つ以下がＮである方法。
【請求項４５】  請求項３６記載の方法であって、
Ｄ3 、Ｄ4 、Ｊ3 、Ｊ4 及びＫ2 がそれぞれ炭素であり；
Ｄ1 、Ｄ2 、Ｊ1 、Ｊ2 及びＫ1 が、Ｃ、Ｎ、Ｏ、Ｓ及び共有結合からなる群から独立に選択され、但し、Ｄ1 、Ｄ2 、Ｊ1 、Ｊ2 及びＫ1 の少なくとも１つが、Ｏ、Ｓ及びＮからなる群から選択され、その際、Ｄ1 、Ｄ2 、Ｊ1 、Ｊ2 及びＫ1 の１つ以下が共有結合であり；Ｄ1 、Ｄ2 、Ｊ1 、Ｊ2 及びＫ1 の１つ以下がＯであり；Ｄ1 、Ｄ2 、Ｊ1 、Ｊ2 及びＫ1 の１つ以下がＳであり；Ｄ1 、Ｄ2 、Ｊ1 、Ｊ2 及びＫ1 の２つがＯ及びＳであるときは、Ｄ1 、Ｄ2 、Ｊ1 、Ｊ2 及びＫ1 の１つは共有結合でなければならず；そして、Ｄ1 、Ｄ2 、Ｊ1 、Ｊ2 及びＫ1 の４つ以下がＮである方法。
【請求項４６】  Ｄ1 、Ｄ2 、Ｊ1 、Ｊ2 、Ｋ1 、Ｄ3 、Ｄ4 、Ｊ3 、Ｊ4 及びＫ2 がそれぞれ炭素である、請求項３６記載の方法。
【請求項４７】  請求項３６記載の方法であって、
Ｄ1 、Ｄ2 、Ｊ1 、Ｊ2 、Ｋ1 、Ｄ3 、Ｄ4 、Ｊ3 、Ｊ4 及びＫ2 がそれぞれ炭素であり；
Ｙが、共有単結合、（ＣＨ2)q （式中、ｑは１及び２から選択される整数である）、及び（ＣＨ2)j −Ｏ−（ＣＨ2)k （式中、ｊ及びｋは０及び１から独立に選択される整数である）からなる群から選択され；
Ｚが共有単結合である方法。
【請求項４８】  請求項３６記載の方法であって、
Ｄ1 、Ｄ2 、Ｊ1 、Ｊ2 、Ｋ1 、Ｄ3 、Ｄ4 、Ｊ3 、Ｊ4 及びＫ2 がそれぞれ炭素であり；
Ｙが、共有単結合、オキシ、及びＣ1 〜Ｃ2 アルキレンからなる群から選択され；
Ｚが共有単結合であり；
Ｒ4 、Ｒ8 、Ｒ9 、及びＲ13が、ヒドリド及びハロからなる群から独立に選択され；
Ｒ5 、Ｒ6 、Ｒ7 、Ｒ10、Ｒ11、及びＲ12が、ヒドリド、アルキル、ハロ、ハロアルキル、ハロアルコキシ、アリール、アルキルチオ、アリールアミノ、アリールチオ、アロイル、アリールスルホニル、アリールオキシ、アラルコキシ、ヘテロアリールオキシ、アルコキシ、アラルキル、シクロアルコキシ、シクロアルキルアルコキシ、シクロアルキルアルカノイル、ヘテロアリール、シクロアルキル、ハロアルキルチオ、ヒドロキシハロアルキル、ヘテロアラルコキシ、ヘテロシクリルオキシ、アラルキルアリール、ヘテロアリールオキシアルキル、ヘテロアリールチオ、及びヘテロアリールスルホニルからなる群から独立に選択される方法。
【請求項４９】  反応が０〜１００℃の温度で行われる、請求項４４〜４８のいずれか１項に記載の方法。
【請求項５０】  反応が１５〜６５℃の温度で行われる、請求項４９記載の方法。
【請求項５１】  テトラヒドロフラン、ジオキサン、塩化メチレン、及びアセトニトリルからなる群から選択される溶媒の使用を更に含んでなる、請求項４４〜４８のいずれか１項に記載の方法。
【請求項５２】  イットリウム、ハフニウム、スカンジウム、ネオジム、ガドリウム、及びジルコニウム塩からなる群から選択される遷移金属塩触媒の使用を更に含んでなる、請求項４４〜４８のいずれか１項に記載の方法。
【請求項５３】  遷移金属塩が、イットリウムトリフラート、ハフニウムトリフラート、スカンジウムトリフラート、ネオジムトリフラート、ガドリウムトリフラート、及びジルコニウムトリフラートからなる群から選択される、請求項５２記載の方法。
【請求項５４】  ＸＸ−Ｒが、２−トリフルオロメチルオキシラン、２−ペンタフルオロエチルオキシラン、２−（１，１，２，２−テトラフルオロエトキシメチル）オキシラン、２−（ジフルオロクロロメチル）オキシラン、及び２−（トリフルオロメトキシメチル）オキシランからなる群から選択される、請求項４４〜４８のいずれか１項に記載の方法。
【請求項５５】  オキシランが、Ｒ1 及びＲ2 置換された炭素において（Ｒ）−キラル配置を有する、請求項５４記載の方法。
【請求項５６】  請求項４４〜４８のいずれか１項に記載の方法であって、
（ａ）０〜１００℃の温度；
（ｂ）非プロトン性溶媒；
（ｃ）イットリウム、ハフニウム、スカンジウム、ネオジム、ガドリウム、及びジルコニウム塩からなる群から選択される遷移金属塩
の使用を更に含んでなる方法。
【請求項５７】  反応が１５〜６５℃の温度で行われる、請求項５６記載の方法。
【請求項５８】  非プロトン性溶媒が、テトラヒドロフラン、ジオキサン、塩化メチレン、及びアセトニトリルからなる群から選択される、請求項５６記載の方法。
【請求項５９】  遷移金属塩が、イットリウムトリフラート、ハフニウムトリフラート、スカンジウムトリフラート、ネオジムトリフラート、ガドリウムトリフラート、及びジルコニウムトリフラートからなる群から選択される、請求項５６記載の方法。
【請求項６０】  ＸＸ−Ｒが、２−トリフルオロメチルオキシラン、２−ペンタフルオロエチルオキシラン、２−（１，１，２，２−テトラフルオロエトキシメチル）オキシラン、２−（ジフルオロクロロメチル）オキシラン、及び２−（トリフルオロメトキシメチル）オキシランからなる群から選択される、請求項５６記載の方法。
【請求項６１】  オキシランが、Ｒ1 及びＲ2 置換された炭素において（Ｒ）−キラル配置を有する、請求項６０記載の方法。